(57)【要約】      （修正有）【課題】軟組織修復に適したインプラントを提供する。【解決手段】外科用ウェブ１００は、ウェブの中心１０５ａからウェブの外周縁１１５まで半径方向に延在する複数の放射状糸１１０ａ〜ｄと、ウェブの中心区域１０５の周りを回り、複数の放射状糸の間に延在する複数の螺旋糸１２０ａ〜ｄとを含み、各螺旋糸は、隣接する放射状糸を接続する。放射状糸は、螺旋糸と重なり合うかまたは交差するが、螺旋糸と織り込まれず、少なくとも第１の糸通し糸よび第２の糸通し糸は、放射状糸および／または螺旋糸のうちの少なくとも一方の長さにほぼ沿って延在する。【選択図】図２Ａ
2020081862.tif 000002
【特許請求の範囲】
【請求項１】
ヘルニア修復のための移植可能なウェブであって、
複数の敷設糸および複数の糸通し糸を備え、
前記複数の敷設糸が、軸糸、螺旋糸、および複数の放射状糸を含み、前記軸糸が、前記ウェブの中心縦軸または横軸の一部に沿って延在し、各放射状糸が、前記軸糸から前記ウェブの外周縁に向かって半径方向に延在し、前記螺旋糸が、前記軸糸の周りにループを形成し、かつ前記複数の放射状糸の間に延在して、これらを交差しており、ならびに少なくとも第１および第２の糸通し糸であって、前記第１および第２の糸通し糸が、互いに織り込まれて係止ステッチを形成し、前記係止ステッチが、前記軸糸、前記放射状糸、および前記螺旋糸を互いに対して相対的な位置に保持して前記ウェブの構造を維持するように、前記軸糸、前記放射状糸、または前記螺旋糸のうちの少なくとも２つの周りに位置決めされている、移植可能なウェブ。
【請求項２】
前記ウェブが、複数の螺旋糸を含み、好ましくは、前記複数の螺旋糸が、複数の同心閉ループを形成し、より好ましくは、最も外側の螺旋糸が、前記ウェブの外周縁を表している、請求項１に記載の移植可能なウェブ。
【請求項３】
前記放射状糸は、前記螺旋糸よりも直径が小さい、請求項１および２のいずれか一項に記載の移植可能なウェブ。
【請求項４】
前記放射状糸のうちの少なくとも１つが、放射状ループを形成し、好ましくは、前記第１および第２の糸通し糸は、前記放射状糸および螺旋糸よりも直径が小さい、請求項１〜３のいずれか一項に記載の移植可能なウェブ。
【請求項５】
前記複数の放射状糸が、前記軸糸の近位端および遠位端から延在している、請求項１〜４のいずれか一項に記載の移植可能なウェブ。
【請求項６】
前記軸糸の少なくとも中心部分を横切って前記ウェブの前記外周縁に向かって延在する複数の水平糸をさらに備え、前記水平糸が、互いに略平行であり、かつ前記軸糸に略直角である、請求項１〜５のいずれか一項に記載の移植可能なウェブ。
【請求項７】
前記移植可能なウェブの前記外周縁またはその付近に少なくとも１つの補強ゾーンを形成する複数の補強糸をさらに備え、好ましくは、前記少なくとも１つの補強ゾーンが、連続リングから選択されるか、または前記少なくとも１つの補強ゾーンが、ジグザグもしくは正弦波構成をさらに含む、請求項１〜６のいずれか一項に記載の移植可能なウェブ。
【請求項８】
複数の垂直糸をさらに備え、前記垂直糸が、互いに略平行であり、かつ前記水平糸に略直角であり、好ましくは、前記垂直糸のうちの少なくとも１つが、垂直ループを形成している、請求項１に記載の移植可能なウェブ。
【請求項９】
複数の斜め糸をさらに備え、好ましくは、前記斜め糸のうちの少なくとも１つが、斜めループを形成している、請求項１に記載の移植可能なウェブ。
【請求項１０】
前記第１および第２の糸通し糸を介して前記ウェブが固定されている基材をさらに備え、好ましくは、前記基材が、水溶性ポリビニルアルコールなどの溶解性材料を含む、請求項１〜９のいずれか一項に記載の移植可能なウェブ。
【請求項１１】
前記基材が編み織物を含み、好ましくは、前記編み織物が、非吸収性モノフィラメントを含み、例えば、前記編み織物が、吸収性モノフィラメントから製造された把持部材を含む、請求項１０に記載の移植可能なウェブ。
【請求項１２】
前記ウェブの表面に取り付けられ、かつ前記ウェブの平面の平面とは異なる平面で前記ウェブの前記表面から延在する縫合ループを含む、少なくとも１つの縫合アセンブリをさらに備え、好ましくは、前記少なくとも１つの縫合アセンブリが、管状カバーで包まれている、請求項１〜１１のいずれか一項に記載の移植可能なウェブ。
【請求項１３】
ＴＦＰプロセスを使用して、請求項１〜１２のいずれか一項に記載の移植可能なウェブを形成することを含む、インプラントを形成する方法。
【請求項１４】
ヘルニア修復のための移植可能なウェブであって、
複数の敷設糸および複数の糸通し糸を備え、前記複数の敷設糸が、複数の垂直糸、水平糸、斜め糸、および少なくとも１つの螺旋糸を含み、各螺旋糸が、前記ウェブの中心区域の周りに連続ループを形成し、かつ前記複数の垂直糸、水平糸、および斜め糸の間に延在して、これらを交差しており、
前記複数の糸通し糸が、少なくとも第１および第２の糸通し糸を含み、前記第１および第２の糸通し糸が、互いに織り込まれて係止ステッチを形成し、前記係止ステッチが、前記敷設糸を互いに対して相対的な位置に保持して前記ウェブの構造を維持するように、前記敷設糸のうちの少なくとも２つの周りに位置決めされている、移植可能なウェブ。
【請求項１５】
ヘルニア修復のための移植可能なウェブであって、
複数の敷設糸および複数の糸通し糸を備え、
前記複数の敷設糸が、複数の放射状糸であって、各放射状糸が、前記ウェブの中心区域から前記ウェブの外周縁まで半径方向に延在している、複数の放射状糸と、少なくとも１つの螺旋糸であって、前記螺旋糸が、前記ウェブの前記中心区域の周りに連続ループを形成し、かつ前記複数の放射状糸の間に延在して、これらを交差している、少なくとも１つの螺旋糸と、を含み、前記ウェブの前記中心区域が、いかなる敷設糸および糸通し糸も含まない中心開口部であり、
前記複数の糸通し糸が、少なくとも第１および第２の糸通し糸を含み、前記第１および第２の糸通し糸が、互いに織り込まれて係止ステッチを形成し、前記係止ステッチが、前記放射状糸および螺旋糸を互いに対して相対的な位置に保持して前記ウェブの構造を維持するように、前記放射状糸および前記螺旋糸の周りに位置決めされている、移植可能なウェブ。
【請求項１６】
軟組織修復のための移植可能なウェブを形成する方法であって、
ａ）基材を可動式トレイ上に提供するステップと、
ｂ）敷設ガイド要素を介して基材の第１の側面に複数の敷設糸を敷設するステップと、
ｃ）第１の糸通し糸を含む針を、前記基材の前記第１の側面から前記基材を通して前記基材の第２の側面に、かつ前記第２の糸通し糸の周りに通すステップと、
ｄ）前記針を前記基材の前記第１の側面に、前記第１および第２の糸通し糸の一部と共に戻して、前記複数の敷設糸のうちの少なくとも１つの周囲に係止ステッチを形成し、前記敷設糸を前記基材上の所定の位置に、かつ他の敷設糸に対して係止するステップと、
ｅ）ステップｃ）およびｄ）を繰り返す前に、前記可動式トレイ、基材、敷設ガイド要素、または針のいくつかの組み合わせを前進させて、前記第１および第２の糸通し糸を前記敷設糸に沿って一定の長さだけ延在させるステップと、を含む、方法。
【発明の詳細な説明】
【技術分野】
【０００１】
本開示は、概して、ヘルニアまたは脱出症修復などの軟組織修復に適したインプラントに関し、インプラントは、敷設糸および糸通し糸の組み合わせと、任意に基材と、を含む移植可能なウェブを含む。
【背景技術】
【０００２】
従来の外科用メッシュは、多くのタイプのヘルニアおよび／または脱出症の治療のために、腹腔鏡下手術中および開腹手術中の両方で使用されてきた。
【０００３】
ヘルニアまたは脱出症の外科的治療中、組織の欠陥部の開口部は縫合され、編みメッシュ、編み組メッシュ、および／または織りメッシュなどの従来の外科用メッシュで架橋されることがある。従来の外科用メッシュでは、メッシュの全体構造を形成する糸は、しばしば一緒に密に編まれ、編み組まれ、かつ／または織られ、互いに所定の位置に係止される。例えば、編みメッシュは一般に、経糸および緯糸が密に互いに織り込まれ、経糸および緯糸が互いに対して所定の位置に係止されて、編みメッシュの全体構造を形成および維持することを確実にするように、少なくとも経方向および緯方向に一緒に編まれた糸を含む。糸がより密に織り込まれているほど、メッシュはより堅くなり、かつ／またはより適応可能でなくなる。
【０００４】
硬く、より適応可能でない従来のメッシュは、応力を受けたときに創傷を刺激する可能性がより高く、これにより患者の術後の痛みと不快感の増大がもたらされる可能性があり、かつ／または、患者の活動中に筋肉収縮および腹壁組織の機械的挙動の急激な変化に迅速に適応する可能性がより低くなり、これによりメッシュの機械的故障、メッシュの補強機能維持の不具合、および／またはヘルニアもしくは脱出症の再発がもたらされる可能性がある。
【０００５】
本出願の目的は、従来のメッシュよりも弾性のあるインプラントを提供することであろう。具体的には、本明細書に記載するインプラントは、損傷を受けずに、すなわち永久に変形せずに、応力を受けた後に元の構成に戻ることができる。インプラントはまた、患者の収縮および／または腹壁の動きにより適応可能である。
【０００６】
さらに、本出願の目的は、創傷を刺激せずに、かつ／または術後の患者に追加の痛みまたは不快感を与えずに、日々の患者の活動（座る、呼吸する、横たわる、立ち上がるなどのような）に関連付けられている一方向の応力に適応するように構成されたインプラントを提供することである。
【０００７】
さらに、本出願の目的は、補強機能を維持するためにインプラントの元の構成に戻る能力を維持しながら、多軸方向に（故障せずに、永久に変形せずに、かつ／または膨らまずに）伸びることによって、患者の活動（運動、ランニング、ジャンプなどのような）の増加に関連付けられている場合もある多方向の応力に適応するように構成されたインプラントを提供することである。
【０００８】
さらに、本出願の目的は、インプラント全体に応力を効率的および／または均等に分散するように構成されたインプラントを提供することであり、このためインプラントの一部のみが局所的に破損した場合でも、インプラントは尚も補強機能を維持することができる。
【０００９】
これらの各々は、構造的および／または症候性のいずれかで、ヘルニアまたは脱出修復の結果を改善する可能性がある。
【発明の概要】
【課題を解決するための手段】
【００１０】
本開示は、移植可能なウェブと、任意に基材と、を含むヘルニアおよび／または脱出症修復のためのインプラントについて説明する。移植可能なウェブは、複数の敷設糸および複数の糸通し糸を含む。複数の敷設糸は、互いと重なり合うかまたは交差しており、織り込まれていない。敷設糸は、軸糸、放射状糸、螺旋糸、縁取り糸、係留糸、垂直糸、水平糸、斜め糸、および補強糸から選択されてもよい。複数の糸通し糸は、少なくとも第１および第２の糸通し糸を含んでもよい。糸通し糸は、敷設糸の長さに沿って互いと織り交ぜられ、敷設糸、特に少なくとも２つの敷設糸の任意の組み合わせの周りに係止ステッチを形成し、それによって敷設糸を互いに対して所定の位置に保持し、ウェブの構造を形成および／または維持する。
【００１１】
いくつかの実施形態では、本明細書に記載するウェブは、複数の敷設糸および複数の糸通し糸から形成されてもよく、敷設糸は、少なくとも複数の放射状糸および複数の螺旋糸を含み、糸通し糸は、少なくとも第１および第２の糸通し糸を含む。そのような実施形態では、ウェブは、いかなる糸も含まない中心開口部をさらに含んでもよい。いくつかの実施形態では、ウェブは、基材、縁取り糸、係留糸、垂直糸、水平糸、斜め糸、補強糸、または縫合アセンブリのうちの少なくとも１つをさらに含んでもよい。
【００１２】
いくつかの実施形態では、本明細書に記載するウェブは、複数の敷設糸および複数の糸通し糸から形成されてもよく、敷設糸は、少なくとも１つの軸糸、複数の放射状糸、および複数の螺旋糸を含み、糸通し糸は、少なくとも第１および第２の糸通し糸を含む。いくつかの実施形態では、ウェブは、基材、縁取り糸、係留糸、垂直糸、水平糸、斜め糸、補強糸、または縫合アセンブリのうちの少なくとも１つをさらに含んでもよい。
【００１３】
ウェブが基材を含むいくつかの実施形態では、基材は、溶解性シートまたは織物であってもよい。いくつかの実施形態では、基材は編み織物である。
【００１４】
ウェブが少なくとも１つの縁取り糸を含むいくつかの実施形態では、縁取り糸は、螺旋糸の形状とは異なる形状でウェブの外縁の周囲を画定してもよい。
【００１５】
ウェブが少なくとも１つの係留糸を含むいくつかの実施形態では、係留糸は、縁取り糸から半径方向に延在してもよい。
【００１６】
ウェブが少なくとも１つの補強糸を含むいくつかの実施形態では、補強糸は、補強部材またはゾーンを形成するように構成されてもよい。補強部材またはゾーンは、連続または不連続リングであり得る。
【００１７】
ウェブが少なくとも１つの縫合アセンブリを含むいくつかの実施形態では、縫合アセンブリは、ウェブの面の中心にあってもよい。
【００１８】
いくつかの実施形態では、放射状糸、垂直糸、水平糸、または斜め糸の少なくとも１つは、ウェブの外縁を越えて、少なくとも１つの放射状ループ、垂直ループ、水平ループ、または斜めループをそれぞれ形成してもよい。
【００１９】
いくつかの実施形態では、インプラントは、少なくとも１つの移植可能なウェブを含み、ウェブは、複数の敷設糸および複数の糸通し糸を含む。複数の敷設糸は、複数の放射状糸であって、各放射状糸が、ウェブの中心区域からウェブの外周縁まで半径方向に延在している、複数の放射状糸と、複数の螺旋糸であって、各螺旋糸が、ウェブの中心区域の周りに連続ループを形成し、かつ複数の放射状糸の間に延在して、これらと交差している、複数の螺旋糸と、を含み、ウェブの中心区域が、敷設糸および糸通し糸のいずれも含まない中心開口部である。複数の糸通し糸は、少なくとも第１および第２の糸通し糸を含み、第１および第２の糸通し糸は、互いに織り込まれて係止ステッチを形成し、係止ステッチは、放射状糸および螺旋糸を互いに相対的な位置に保持してウェブの全体構造を維持するように、少なくとも放射状糸および螺旋糸の周りに位置決めされている。
【００２０】
いくつかの実施形態では、インプラントは、少なくとも１つの移植可能なウェブを含み、ウェブは、複数の敷設糸および複数の糸通し糸を含む。複数の敷設糸は、少なくとも１つの軸糸、少なくとも１つの螺旋糸、および複数の放射状糸を含み、軸糸は、ウェブの少なくとも一方の面の中心軸の一部に沿って延在し、各放射状糸は、半径方向に軸糸からウェブの外周縁まで延在し、少なくとも１つの螺旋糸は、軸糸の周りにループを形成し、複数の放射状糸間に延在して、これらと交差する。複数の糸通し糸は、少なくとも第１および第２の糸通し糸を含み、第１および第２の糸通し糸は、互いに織り込まれて係止ステッチを形成し、係止ステッチは、軸糸、放射状糸、および螺旋糸を互いに相対的な位置に保持してウェブの全体構造を維持するように、軸糸、放射状糸、および螺旋糸の任意の組み合わせの周りに位置決めされている。
例えば本願は以下の項目を提供する。
（項目１）
ヘルニア修復のための移植可能なウェブであって、
複数の敷設糸および複数の糸通し糸を備え、
上記複数の敷設糸が、軸糸、螺旋糸、および複数の放射状糸を含み、上記軸糸が、上記ウェブの中心縦軸または横軸の一部に沿って延在し、各放射状糸が、上記軸糸から上記ウェブの外周縁に向かって半径方向に延在し、上記螺旋糸が、上記軸糸の周りにループを形成し、かつ上記複数の放射状糸の間に延在して、これらを交差しており、ならびに少なくとも第１および第２の糸通し糸であって、上記第１および第２の糸通し糸が、互いに織り込まれて係止ステッチを形成し、上記係止ステッチが、上記軸糸、上記放射状糸、および上記螺旋糸を互いに対して相対的な位置に保持して上記ウェブの構造を維持するように、上記軸糸、上記放射状糸、または上記螺旋糸のうちの少なくとも２つの周りに位置決めされている、移植可能なウェブ。
（項目２）
上記ウェブが、複数の螺旋糸を含み、好ましくは、上記複数の螺旋糸が、複数の同心閉ループを形成し、より好ましくは、最も外側の螺旋糸が、上記ウェブの外周縁を表している、上記項目に記載の移植可能なウェブ。
（項目３）
上記放射状糸は、上記螺旋糸よりも直径が小さい、上記項目のいずれか一項に記載の移植可能なウェブ。
（項目４）
上記放射状糸のうちの少なくとも１つが、放射状ループを形成し、好ましくは、上記第１および第２の糸通し糸は、上記放射状糸および螺旋糸よりも直径が小さい、上記項目のいずれか一項に記載の移植可能なウェブ。
（項目５）
上記複数の放射状糸が、上記軸糸の近位端および遠位端から延在している、上記項目のいずれか一項に記載の移植可能なウェブ。
（項目６）
上記軸糸の少なくとも中心部分を横切って上記ウェブの上記外周縁に向かって延在する複数の水平糸をさらに備え、上記水平糸が、互いに略平行であり、かつ上記軸糸に略直角である、上記項目のいずれか一項に記載の移植可能なウェブ。
（項目７）
上記移植可能なウェブの上記外周縁またはその付近に少なくとも１つの補強ゾーンを形成する複数の補強糸をさらに備え、好ましくは、上記少なくとも１つの補強ゾーンが、連続リングから選択されるか、または上記少なくとも１つの補強ゾーンが、ジグザグもしくは正弦波構成をさらに含む、上記項目のいずれか一項に記載の移植可能なウェブ。
（項目８）
複数の垂直糸をさらに備え、上記垂直糸が、互いに略平行であり、かつ上記水平糸に略直角であり、好ましくは、上記垂直糸のうちの少なくとも１つが、垂直ループを形成している、上記項目のいずれか一項に記載の移植可能なウェブ。
（項目９）
複数の斜め糸をさらに備え、好ましくは、上記斜め糸のうちの少なくとも１つが、斜めループを形成している、上記項目のいずれか一項に記載の移植可能なウェブ。
（項目１０）
上記第１および第２の糸通し糸を介して上記ウェブが固定されている基材をさらに備え、好ましくは、上記基材が、水溶性ポリビニルアルコールなどの溶解性材料を含む、上記項目のいずれか一項に記載の移植可能なウェブ。
（項目１１）
上記基材が編み織物を含み、好ましくは、上記編み織物が、非吸収性モノフィラメントを含み、例えば、上記編み織物が、吸収性モノフィラメントから製造された把持部材を含む、上記項目のいずれか一項に記載の移植可能なウェブ。
（項目１２）
上記ウェブの表面に取り付けられ、かつ上記ウェブの平面の平面とは異なる平面で上記ウェブの上記表面から延在する縫合ループを含む、少なくとも１つの縫合アセンブリをさらに備え、好ましくは、上記少なくとも１つの縫合アセンブリが、管状カバーで包まれている、上記項目のいずれか一項に記載の移植可能なウェブ。
（項目１３）
ＴＦＰプロセスを使用して、上記項目のいずれか一項に記載の移植可能なウェブを形成することを含む、インプラントを形成する方法。
（項目１４）
ヘルニア修復のための移植可能なウェブであって、
複数の敷設糸および複数の糸通し糸を備え、上記複数の敷設糸が、複数の垂直糸、水平糸、斜め糸、および少なくとも１つの螺旋糸を含み、各螺旋糸が、上記ウェブの中心区域の周りに連続ループを形成し、かつ上記複数の垂直糸、水平糸、および斜め糸の間に延在して、これらを交差しており、
上記複数の糸通し糸が、少なくとも第１および第２の糸通し糸を含み、上記第１および第２の糸通し糸が、互いに織り込まれて係止ステッチを形成し、上記係止ステッチが、上記敷設糸を互いに対して相対的な位置に保持して上記ウェブの構造を維持するように、上記敷設糸のうちの少なくとも２つの周りに位置決めされている、移植可能なウェブ。
（項目１５）
ヘルニア修復のための移植可能なウェブであって、
複数の敷設糸および複数の糸通し糸を備え、
上記複数の敷設糸が、複数の放射状糸であって、各放射状糸が、上記ウェブの中心区域から上記ウェブの外周縁まで半径方向に延在している、複数の放射状糸と、少なくとも１つの螺旋糸であって、上記螺旋糸が、上記ウェブの上記中心区域の周りに連続ループを形成し、かつ上記複数の放射状糸の間に延在して、これらを交差している、少なくとも１つの螺旋糸と、を含み、上記ウェブの上記中心区域が、いかなる敷設糸および糸通し糸も含まない中心開口部であり、
上記複数の糸通し糸が、少なくとも第１および第２の糸通し糸を含み、上記第１および第２の糸通し糸が、互いに織り込まれて係止ステッチを形成し、上記係止ステッチが、上記放射状糸および螺旋糸を互いに対して相対的な位置に保持して上記ウェブの構造を維持するように、上記放射状糸および上記螺旋糸の周りに位置決めされている、移植可能なウェブ。
（項目１６）
軟組織修復のための移植可能なウェブを形成する方法であって、
ａ）基材を可動式トレイ上に提供するステップと、
ｂ）敷設ガイド要素を介して基材の第１の側面に複数の敷設糸を敷設するステップと、
ｃ）第１の糸通し糸を含む針を、上記基材の上記第１の側面から上記基材を通して上記基材の第２の側面に、かつ上記第２の糸通し糸の周りに通すステップと、
ｄ）上記針を上記基材の上記第１の側面に、上記第１および第２の糸通し糸の一部と共に戻して、上記複数の敷設糸のうちの少なくとも１つの周囲に係止ステッチを形成し、上記敷設糸を上記基材上の所定の位置に、かつ他の敷設糸に対して係止するステップと、
ｅ）ステップｃ）およびｄ）を繰り返す前に、上記可動式トレイ、基材、敷設ガイド要素、または針のいくつかの組み合わせを前進させて、上記第１および第２の糸通し糸を上記敷設糸に沿って一定の長さだけ延在させるステップと、を含む、方法。
（摘要）
本開示は、ヘルニアまたは脱出症修復に適したインプラントを提供し、インプラントは、敷設糸および糸通し糸の組み合わせと、任意に基材と、を含む移植可能なウェブを含む。そのようなインプラントの製造方法もまた提供される。
【図面の簡単な説明】
【００２１】
本開示の有刺フィラメントの様々な実施形態が、図面を参照して本明細書に開示される。
【図１Ａ】それぞれ、本明細書の少なくとも１つの実施形態に記載するような、ウェブを含む外科用インプラントを形成するために使用されるプロセスの斜視図および側面概略図である。
【図１Ｂ】それぞれ、本明細書の少なくとも１つの実施形態に記載するような、ウェブを含む外科用インプラントを形成するために使用されるプロセスの斜視図および側面概略図である。
【図２Ａ】本明細書の少なくとも１つの実施形態に記載するような、敷設糸および糸通し糸を含むウェブを含む外科用インプラントの上面図である。
【図２Ｂ】本明細書の少なくとも１つの実施形態に記載するような、ウェブを形成するために組み合わされた敷設糸および糸通し糸の拡大斜視図である。
【図３】本明細書の少なくとも１つの実施形態に記載するような、敷設糸および糸通し糸を含むウェブを含む外科用インプラントの上面図である。
【図４Ａ】本明細書の少なくとも１つの実施形態に記載するような、敷設糸および糸通し糸を含むウェブを含む外科用インプラントの上面図である。
【図４Ｂ】本明細書の少なくとも１つの実施形態に記載するような、敷設糸および糸通し糸を含むウェブを含む外科用インプラントの上面図である。
【図４Ｃ】本明細書の少なくとも１つの実施形態に記載するような、敷設糸および糸通し糸を含むウェブを含む外科用インプラントの上面図である。
【図４Ｄ】本明細書の少なくとも１つの実施形態に記載するような、敷設糸および糸通し糸を含むウェブを含む外科用インプラントの上面図である。
【図５】本明細書の少なくとも１つの実施形態に記載するような、敷設糸および糸通し糸を含むウェブと、基材と、を含む外科用インプラントの上面図である。
【図６】本明細書の様々な実施形態記載するような、敷設糸および糸通し糸と、少なくとも１つの補強ゾーンと、を含むウェブを含む外科用インプラントの上面図である。
【図７】本明細書の様々な実施形態記載するような、敷設糸および糸通し糸と、少なくとも１つの補強ゾーンと、を含むウェブを含む外科用インプラントの上面図である。
【図８】本明細書の様々な実施形態記載するような、敷設糸および糸通し糸と、少なくとも１つの補強ゾーンと、を含むウェブを含む外科用インプラントの上面図である。
【図９】本明細書の様々な実施形態記載するような、敷設糸および糸通し糸と、少なくとも１つの補強ゾーンと、を含むウェブを含む外科用インプラントの上面図である。
【図１０】本明細書の様々な実施形態に記載するような、敷設糸および糸通し糸と、少なくとも１つの縫合アセンブリと、を含むウェブを含む外科用インプラントの上面図である。
【図１１】本明細書の様々な実施形態に記載するような、敷設糸および糸通し糸と、少なくとも１つの縫合アセンブリと、を含むウェブを含む外科用インプラントの上面図である。
【図１２Ａ】本明細書の様々な実施形態に記載するような、敷設糸および糸通し糸を含むウェブを含む外科用インプラントの上面図である。
【図１２Ｂ】本明細書の様々な実施形態に記載するような、敷設糸および糸通し糸を含むウェブを含む外科用インプラントの上面図である。
【図１２Ｃ】本明細書の様々な実施形態に記載するような、敷設糸および糸通し糸を含むウェブを含む外科用インプラントの上面図である。
【図１３Ａ】本明細書の様々な実施形態に記載するような、敷設糸および糸通し糸と、少なくとも１つの補強ゾーンと、を含むウェブを含む外科用インプラントの上面図である。
【図１３Ｂ】本明細書の様々な実施形態に記載するような、敷設糸および糸通し糸と、少なくとも１つの補強ゾーンと、を含むウェブを含む外科用インプラントの上面図である。
【図１４Ａ】本明細書の様々な実施形態に記載するような、敷設糸および糸通し糸と、基材と、を含むウェブを含む外科用インプラントの上面図である。
【図１４Ｂ】本明細書の様々な実施形態に記載するような、敷設糸および糸通し糸と、基材と、を含むウェブを含む外科用インプラントの上面図である。
【図１５】本明細書の様々な実施形態に記載するような、敷設糸および糸通し糸を含むウェブを含む外科用インプラントの上面図である。
【図１６】本明細書の様々な実施形態に記載するような、敷設糸および糸通し糸を含むウェブを含む外科用インプラントの上面図である。
【発明を実施するための形態】
【００２２】
本明細書の多くの図に示されているように、本明細書に記載するインプラントは、略平面であり、少なくとも移植可能なウェブと、任意にそれに取り付けられた基材と、を含む。加えて、インプラントは、縫合アセンブリ、補強部材、またはその両方をさらに含んでもよい。
【００２３】
インプラントは、ヘルニアまたは脱出症の修復処置など、軟組織の開口部の縫合を補強および／または支持するために、組織に外科的に移植されるように構成されている。いくつかの実施形態では、インプラントは、鼠経ヘルニア、大腿ヘルニア、臍ヘルニア、切開ヘルニア、腹側ヘルニア、傍ストーマヘルニアなどのようなヘルニアを修復するように構成される。いくつかの実施形態では、インプラントは、直腸、膀胱、子宮、または膣の脱出を修復するように構成される。
【００２４】
Ｉ．移植可能なウェブ
本明細書に記載するインプラントは、少なくとも１つの移植可能なウェブを含み、ウェブは、中間に厚さを有して互いに対向する少なくとも第１および第２の面を含む。移植可能なウェブは、外周縁によって画定され、外周縁は、長方形、円形、楕円形、三角形、長方形、五角形、六角形、八角形などのような任意の形状を有する。インプラント全体と同様に、ウェブは、略平面である。
【００２５】
移植可能なウェブは、敷設糸および糸通し糸の組み合わせから形成される。敷設糸は、流動性である、重なり合うかまたは交差する様態で位置決めまたは敷設される。敷設糸は、互いと織り込まれていない。糸通し糸は、敷設糸の重なり合った部位またはその付近の個々の敷設糸の周りに係止ステッチを形成して、敷設糸を互いに対して略固定位置に係止して移植可能なウェブの全体構造を形成および／または維持する。
【００２６】
いくつかの実施形態では、インプラントは、敷設糸および糸通し糸を組み合わせることができる基材をさらに含んでもよい。様々な糸と組み合わされた任意の基材は、製造後にインプラント（または移植可能なウェブ）の一部として残り、またはその後いつでもインプラント（または移植可能なウェブ）から部分的または全体的に除去ことができる。
【００２７】
１．敷設糸
敷設糸は、互いに対して織り込まれずに、かつ／またはいかなる永続的な位置にも保持されずに（糸通し糸を追加せずに）、互いに対して重なり合うまたは交差する様態で位置決めまたは敷設され得る糸である。互いを互いに対して固定位置に係止する織り込まれた糸を含む、硬い従来の外科用メッシュ（編み物、編み組物、織り物など）、例えば、経糸および緯糸を含む編み織物とは異なり、本開示の敷設糸は、まったく流動性であり、互いを固定位置に固定せずに、単に互いと重なり合い、かつ／または交差するだけである。敷設糸のみが互いに対していかなる永久的な位置にも保持されないため、敷設糸だけでは、移植可能なウェブの構造を形成および／または維持することができない。本明細書により詳細に記載するように、糸通し糸をウェブに追加することによって、敷設糸は互いに対して重なり合うかまたは交差する位置に保持または係止される。
【００２８】
様々な種類の敷設糸を糸通し糸と組み合わせて、本明細書に記載する移植可能なウェブを形成することができる。様々な種類の敷設糸としては、軸糸、放射状糸、螺旋糸、縁取り糸、係留糸、垂直糸、水平糸、斜め糸、および補強糸が挙げられる。
【００２９】
様々な敷設糸は、モノフィラメント構造、マルチフィラメント構造、またはモノフィラメントおよびマルチフィラメント構造の任意の組み合わせであってもよい。
【００３０】
様々な敷設糸は、移植に適した任意の生体適合性材料から製造されてもよい。いくつかの実施形態では、敷設糸は、生体吸収性、非生体吸収性、弾性、および／または非弾性材料の任意の組み合わせから形成されてもよい。
【００３１】
敷設糸のうちの少なくともいくつかを形成するのに適した生体吸収性材料のうちのいくつかの非限定的な例としては、ポリ乳酸、ポリグリコール酸、ポリカプロラクトン、ポリジオキサノン、トリメチレンカーボネート、ポリビニルアルコール、ポリヒドロキシアルカノエート、ポリホスファゼン、吸収性ポリアミド、ポリエーテル、酸化セルロース、キトサン、ゼラチン、コラーゲン、およびこれらの組み合わせが挙げられる。
【００３２】
敷設糸のうちの少なくともいくつかを形成するのに適した非生体吸収性材料のうちのいくつかの非限定的な例としては、ポリエチレンテレフタレート、非吸収性ポリアミド、アラミド、発泡ポリテトラフルオロエチレン、ポリウレタン、ポリフッ化ビニリデン、ポリブチルエステル、ポリエーテルエーテルケトン、ポリオレフィン（ポリエチレンまたはポリプロピレンなど）、銅合金、銀合金、プラチナ、金、ステンレス鋼、およびこれらの組み合わせが挙げられる。
【００３３】
いくつかの実施形態では、敷設糸のうちの少なくともいくつかは、弾性材料から製造されてもよい。弾性材料から製造された糸、すなわち弾性糸は、ＮＦ  ＥＮ  ＩＳＯ  １３９３４−１：２０１３に従って測定された７５％以上の破断点伸びを示す。弾性材料のうちのいくつかの非限定的な例としては、ポリウレタン、ポリブチレン、ならびにスチレン系ブロックコポリマー、ポリオレフィンエラストマー、およびポリアミドなどの熱可塑性エラストマー（ＴＰＥ）が挙げられる。いくつかの実施形態では、本明細書に記載するウェブは、ポリテトラヒドロフランおよびポリブチレンの組み合わせから製造された弾性糸を含む。
【００３４】
いくつかの実施形態では、敷設糸のうちの少なくともいくつかは、非弾性材料から製造されてもよい。非弾性材料から製造された糸、すなわち非弾性糸は、ＮＦ  ＥＮ  ＩＳＯ  １３９３４−１：２０１３に従って測定された７５％未満の破断点伸びを示す。非弾性材料のうちのいくつかの非限定的な例としては、ポリエチレンテレフタレート、ポリプロピレン、ニッケル、チタン、および他の金属が挙げられる。
【００３５】
様々な敷設糸の詳細が以下に提供される。
【００３６】
ａ．軸糸
本明細書に記載する移植可能なウェブは、少なくとも１つの軸糸を含んでもよい。本明細書の図のうちのいくつかに示すように、軸糸は、移植可能なウェブの中心軸に沿って延在する糸である。ウェブの中心軸は、ウェブの長さに沿って縦方向に、またはウェブの幅に沿って横方向に延びることができる。軸糸は、ウェブのうちの少なくとも一方の面の縦方向または横方向のいずれかの中心に置かれる。いくつかの実施形態では、本明細書に記載するウェブは、互いに直角に敷設された２本の軸糸、すなわち縦方向に敷設された第１の軸糸および横方向に敷設された第２の糸を含む。
【００３７】
いくつかの実施形態では、軸糸は、ウェブの外周縁まで延在してもよい。いくつかの実施形態では、軸糸は、ウェブの外周縁まで延在しなくてもよく、および／またはウェブの外周縁を含まない。
【００３８】
いくつかの実施形態では、少なくとも１つの軸糸は、移植可能なウェブの少なくとも一方の面の中心縦軸（ＣＬＡ）に沿って延在してもよい。ＣＬＡは、ウェブの少なくとも一方の面の長さだけ延在し、ウェブの中心および／または中心区域を横切る。そのような実施形態では、軸糸は、ＣＬＡに沿って軸方向距離に延在する。軸方向距離は、ウェブの長さの約０％〜約１００％の範囲であってもよい。いくつかの実施形態では、軸方向距離は、ウェブの長さの約１０％〜約９０％、ウェブの長さの約２５％〜約７５％、ウェブの長さの約３３％〜約６７％、および／またはウェブの長さの約４０％〜約６０％の範囲であってもよい。いくつかの実施形態では、軸方向距離は、ウェブの長さの５０％超、ウェブの長さの約５０％、または、ウェブの長さの５０％未満を表してもよい。
【００３９】
いくつかの実施形態では、少なくとも１つの軸糸は、移植可能なウェブの少なくとも一方の面の中心横軸（ＣＴＡ）に沿って延在してもよい。ＣＴＡは、ウェブの少なくとも一方の面の幅だけ延在し、ウェブの中心および／または中心区域を横切る。ＣＬＡおよびＣＴＡは、ウェブの少なくとも一方の面の中心および／または中心区域で交差し、かつ互いに直角である。いくつかの実施形態では、軸糸は、中心横軸に沿って軸方向距離に延在してもよい。軸方向距離は、ウェブの幅の約０％〜約１００％の範囲であってもよい。いくつかの実施形態では、軸方向距離は、ウェブの幅の約１０％〜約９０％、ウェブの幅の約２５％〜約７５％、ウェブの幅の約３３％〜約６７％、またはウェブの幅の約４０％〜約６０％の範囲であってもよい。いくつかの実施形態では、軸方向距離は、ウェブの幅の５０％超、ウェブの幅の約５０％、または、ウェブの幅の５０％未満を表してもよい。
【００４０】
ｂ．放射状糸
本明細書に記載する移植可能なウェブは、複数の放射状糸を含む。放射状糸は、ウェブの少なくとも一方の面の中心区域から外周縁まで半径方向に延在する。隣接する放射状糸がウェブの中心区域から離れる方向に延在するにつれて、ウェブの面上の隣接する放射状糸間の距離は増加する。個々の放射状糸は、他の個々の放射状糸と交差しない。隣接する放射状糸は、互いに平行ではない。
【００４１】
いくつかの実施形態では、放射状糸は、ウェブの少なくとも一方の面の中心から延在する。いくつかの実施形態では、放射状糸は、ウェブの中心の周りの中心区域から延在し、ウェブの中心、すなわち中心開口部は、いかなる糸も含まない。いくつかの実施形態では、放射状糸は、中心軸に沿って延在し、ウェブの中心区域内に位置決めされた少なくとも１つの軸糸から延在する。
【００４２】
いくつかの実施形態では、放射状糸は、ウェブの両方ではないにしても少なくとも一方の面の中心区域または中心から離れる方向に、単一糸としてウェブの外縁に向かって延在してもよい。
【００４３】
いくつかの実施形態では、放射状糸は、ウェブの中心区域、中心、または軸糸から離れる方向に、最も外側の螺旋糸によって画定され得るウェブの外縁を越えて延在してもよく、ウェブの面の中心区域または中心に向かって巻き戻る。そのような実施形態では、放射状糸は、ウェブの外縁または最も外側の螺旋糸を２回横切って、それらの間に放射状ループを形成する。係留糸のように、放射状ループは、ウェブを組織に固定するのに適しており、外縁または最も外側の螺旋糸を越えて任意の距離だけ延在してもよい。
【００４４】
いくつかの実施形態では、本明細書に記載するウェブは、全て放射状ループを形成する放射状糸を含んでもよい。いくつかの実施形態では、本明細書に記載するウェブは、放射状ループを形成しない放射状糸のみを含んでもよい。いくつかの実施形態では、本明細書に記載するウェブは、放射状ループを形成しない放射状糸および放射状ループを形成する放射状糸の両方を含んでもよい。
【００４５】
いくつかの実施形態では、本明細書に記載する移植可能なウェブは、少なくとも１つの軸糸および複数の放射状糸を含む。そのような実施形態では、軸糸は、ウェブの少なくとも一方の面の中心区域に、すなわち中心縦軸および／または中心横軸に沿って位置付けられ、放射状糸は、軸糸のいくつかの部分から延在する。いくつかの実施形態では、放射状糸は、軸糸の同じ部分から延在してもよい。いくつかの実施形態では、放射状糸は、軸糸の異なる部分から延在してもよい。いくつかの実施形態では、放射状糸は、軸糸の周りに等間隔で配置されてもよい。いくつかの実施形態では、放射状糸は、軸糸の各側から対称的に延在してもよい。いくつかの実施形態では、放射状糸は、軸糸の両端ではないにしても少なくとも一方の端から延在してもよい。
【００４６】
ｃ．螺旋糸
本明細書に記載する移植可能なウェブは、少なくとも１つの螺旋糸をさらに含み、複数の螺旋糸を含んでもよい。螺旋糸は、ウェブの両方ではないにしても少なくとも一方の面上の中心区域（中心、中心開口部、および／または少なくとも１つの軸糸のうちの少なくとも１つを含む）の周りを回る。
【００４７】
いくつかの実施形態では、少なくとも１つの螺旋糸は、ウェブの両方ではないにしても少なくとも一方の面の中心区域を横断しない。いくつかの実施形態では、本明細書に記載するウェブの、両方ではないにしても少なくとも一方の面の中心区域は、螺旋糸を含まない。
【００４８】
いくつかの実施形態では、少なくとも１つの螺旋糸は、少なくとも一方の面の中心区域（中心、中心開口部、および／または少なくとも１つの軸糸のうちの少なくとも１つを含む）で始まり、そこから外向きにウェブの外周縁に向かって螺旋状になってもよい。
【００４９】
螺旋糸はまた、放射状糸の間に延在し、それによって螺旋糸を介して隣接する放射状糸を互いに接続する。代わりに、放射状糸は、螺旋糸間に延在し、それによって放射状糸を介して隣接する螺旋糸を互いに接続する。螺旋糸は、流動的な様式で放射状糸と重なり合うか交差し、織り込まれない。螺旋糸は、他の螺旋糸と交差しない。
【００５０】
いくつかの実施形態では、ウェブは、ウェブの外周縁からまたはその付近で、ウェブの中心区域に向かってまたはその付近で、ウェブの両方ではないにしても少なくとも一方の面の中心区域の周りに連続的かつ徐々に狭まる曲線で巻く、単一の連続螺旋糸を含んでもよい。
【００５１】
いくつかの実施形態では、ウェブは、複数の螺旋糸を含んでもよく、各螺旋糸は、軸糸および／またはウェブの中心区域を通過せずに、ウェブの中心または中心区域の周りに閉ループを形成する。閉ループによって、螺旋糸は、丸い形状のみに限定することを意図せず、円形、楕円形、長方形、三角形、六角形、五角形などを含む任意の閉じた形状を含むことを意図している。  
【００５２】
各閉ループ螺旋糸は、隣接する螺旋糸から半径方向に離間配置される。いくつかの実施形態では、隣接する螺旋糸間の半径方向距離は、ウェブ全体にわたって一定のままである。半径方向距離を一定に保つことにより、ウェブの中心区域の周りの螺旋糸のループは、ウェブの少なくとも一方の面で互いに等間隔で配置される。
【００５３】
いくつかの実施形態では、螺旋糸は、軸糸および／またはウェブの中心区域の周りと同心である。
【００５４】
いくつかの実施形態では、隣接する螺旋糸間の半径方向距離は、螺旋糸が軸糸および／またはウェブの中心区域から遠く離れるにつれて増加する。例えば、最も外側の隣接する螺旋糸（ウェブの中心区域から最も遠い２つの螺旋糸）は、最小の半径方向距離で離間配置されている最も内側の隣接する螺旋糸（ウェブの中心区域に最も近い２つの螺旋）と比べて、最大の半径方向距離で離間配置されてもよい。
【００５５】
いくつかの実施形態では、隣接する螺旋糸間の半径方向距離は、螺旋糸が軸糸および／またはウェブの中心区域から遠く離れるにつれて減少する。例えば、最も外側の隣接する螺旋糸（ウェブの中心区域から最も遠い２つの螺旋糸）は、最大の半径方向距離で離間配置されている最も内側の隣接する螺旋糸（ウェブの中心区域に最も近い２つの螺旋糸）と比べて、最小の半径方向距離で離間配置されてもよい。
【００５６】
さらに他の実施形態では、隣接する螺旋糸間の半径方向距離は、ウェブの面全体で変化する。
【００５７】
いくつかの実施形態では、螺旋糸は、非弾性糸である。
【００５８】
いくつかの実施形態では、螺旋糸は非弾性糸であり、放射状糸および軸糸のうちの少なくとも一方は弾性糸である。
【００５９】
いくつかの実施形態では、本明細書に記載する移植可能なウェブは、複数の放射状糸、複数の螺旋糸、および複数の糸通し糸を含む。そのような実施形態では、複数の放射状糸は、ウェブの中心開口部からウェブの外周縁まで延在し、複数の螺旋糸は、ウェブの中心開口部の周りを回って連続ループを形成し、放射状糸間に延在し、それによって螺旋糸を介して隣接する放射状糸を互いに接続する。互いに織り交ぜられて、螺旋糸および放射状糸が重なり合い、かつ／または交差する位置に隣接する放射状糸および／または螺旋糸の周りに係止ステッチを形成する糸通し糸。
【００６０】
いくつかの実施形態では、本明細書に記載する移植可能なウェブは、少なくとも１つの軸糸、複数の放射状糸、複数の螺旋糸、および複数の糸通し糸を含む。そのような実施形態では、軸糸は、ウェブの少なくとも一方の面の中心区域に、すなわち中心縦軸または横軸に沿って位置付けられ、複数の放射状糸は、軸糸のいくつかの部分からウェブの外周縁まで延在し、複数の螺旋糸は、軸糸の周りを回り、放射状糸間に延在し、それによって螺旋糸を介して隣接する放射状糸を互いに接続する。そのような実施形態では、ウェブの軸糸から最も外側の螺旋糸は、ウェブの外周縁を表してもよく、複数の放射状糸は、最も外側の螺旋糸まで延在してもよい。糸通し糸は互いに織り交ぜられて、軸糸、放射状糸、および／または螺旋糸が重なり合い、かつ／または交差する位置に隣接する軸糸、放射状糸、および／または螺旋糸の周りに係止ステッチを形成する。
【００６１】
ｄ．縁取り糸
本明細書に記載する移植可能なウェブは、少なくとも１つの縁取り糸をさらに含んでもよい。縁取り糸は、軸糸、放射状糸、および／または螺旋糸の任意の組み合わせを取り囲むかまたは囲み、ウェブの外周縁を画定し、ウェブに追加の支持を提供する。縁取り糸は、最も外側の螺旋糸を越えて半径方向に延在する放射状糸の一部と重なり合うかまたは交差する。縁取り糸は、軸糸および／または螺旋糸と重なり合わないかまたは交差しない。縁取り糸は、ウェブの両方ではないにしても少なくとも一方の面の中心区域を横断しない。本明細書に記載するウェブの両方ではないにしても少なくとも一方の面の中心区域は、縁取り糸を含まない。本明細書に記載するウェブの両方ではないにしても少なくとも一方の面の中心区域は、縁取り糸および螺旋糸を含まない。
【００６２】
いくつかの実施形態では、ウェブの放射状糸は、最も外側の螺旋糸を越えて縁取り糸まで延在してもよく、縁取り糸は、最も外側の螺旋糸から（軸糸および／またはウェブの中心区域から遠く離れる方向に）半径方向の縁取り距離だけ変位する。そのような実施形態では、最も外側の螺旋糸と縁取り糸との間の半径方向の縁取り距離は、螺旋糸の全てではないにしても少なくともいくつかの間の半径方向距離よりも大きくてもよい。そのような実施形態では、最も外側の螺旋糸と縁取り糸との間の半径方向の縁取り距離は、放射状糸および任意に糸通し糸のみを含むゾーンを作成する。
【００６３】
縁取り糸は、長方形、円形、楕円形、三角形、長方形、五角形、六角形、八角形などの任意の形状を画定することができる。いくつかの実施形態では、縁取り糸によって画定される形状は、
螺旋糸および／または特に、最も外側の螺旋糸によって画定される形状とは異なる。いくつかの実施形態では、縁取り糸は、長方形の形状を画定し、螺旋糸は、円形または楕円形の形状を画定する。
【００６４】
ｅ．係留糸
本明細書に記載する移植可能なウェブは、ウェブを組織に固定するための少なくとも１つの係留糸をさらに含んでもよい。係留糸は、縁取り糸から、軸糸および／またはウェブの中心区域から離れる方向に延在する。係留糸は、縁取り糸の一部と重なり合うかまたは交差する。係留糸は、軸糸、放射状糸、および／または螺旋糸と重なり合わず、またはこれらと交差しない。係留糸は、ウェブの両方ではないにしても少なくとも一方の面の中心区域を横断しない。本明細書に記載するウェブの両方ではないにしても少なくとも一方の面の中心区域は、係留糸を含まない。本明細書に記載するウェブの両方ではないにしても少なくとも一方の面の中心区域は、係留糸、縁取り糸、および螺旋糸を含まない。
【００６５】
いくつかの実施形態では、係留糸は、ウェブの中心に位置合わせされる様態で縁取り糸から半径方向に延在してもよいが、縁取り糸および／または軸糸、放射状糸、または螺旋糸のうちのいずれかを横断しない。いくつかの実施形態では、係留糸は、縁取り糸から非放射状の様態で延在してもよいが、縁取り糸および／または軸糸、放射状糸、または螺旋糸のうちのいずれかを横断しない。
【００６６】
いくつかの実施形態では、係留糸は、縁取り糸の周りに等間隔で配置されてもよい。いくつかの実施形態では、係留糸は、ウェブの外周縁の周りに対称的に延在してもよい。
【００６７】
縁取り糸および係留糸は、ウェブに追加の強度および支持を提供するように構成される。特に、縁取り糸は、軸糸、放射状糸、および／または螺旋糸を縁取り糸の画定された周囲内に一緒に保持するのを助けるように構成され、係留糸は、移植時にウェブを組織に固定するように構成される。
【００６８】
いくつかの実施形態では、係留糸の直径は、縁取り糸の直径以上である。本明細書では、直径という用語が引用されるが、糸を円形断面のみに限定することを意図するものではなく、非円形断面も意図している。
【００６９】
いくつかの実施形態では、縁取り糸の直径は、螺旋糸の直径以上である。
【００７０】
いくつかの実施形態では、螺旋糸の直径は、放射状糸および／または軸糸の直径以上である。
【００７１】
いくつかの実施形態では、放射状糸および／または軸糸の直径は、糸通し糸の直径以上である。
【００７２】
いくつかの実施形態では、係留糸および縁取り糸は、軸糸、放射状糸、螺旋糸、および／または糸通し糸の直径よりも大きい直径を有する。
【００７３】
いくつかの実施形態では、螺旋糸は、軸糸、放射状糸、および／または糸通し糸よりも大きい直径を有する。
【００７４】
いくつかの実施形態では、放射状糸は、糸通し糸よりも大きい直径を有する。
【００７５】
いくつかの実施形態では、軸糸は、糸通し糸よりも大きい直径を有する。
【００７６】
いくつかの実施形態では、係留糸の引張強度は、縁取り糸の引張強度以上である。
【００７７】
いくつかの実施形態では、縁取り糸の引張強度は、螺旋糸の引張強度以上である。
【００７８】
いくつかの実施形態では、螺旋糸の引張強度は、放射状糸および／または軸糸の引張強度以上である。
【００７９】
いくつかの実施形態では、放射状糸および／または軸糸の引張強度は、糸通し糸の引張強度以上である。
【００８０】
いくつかの実施形態では、係留糸および縁取り糸は各々、軸糸、放射状糸、螺旋糸、および／または糸通し糸の引張強度よりも大きい引張強度を有する。
【００８１】
いくつかの実施形態では、係留糸、縁取り糸、および放射状糸は各々、螺旋糸よりも大きい引張強度を有する。
【００８２】
ｆ．垂直糸、水平糸、および斜め糸
本明細書に記載するウェブは、少なくとも１つの垂直糸、水平糸、または斜め糸をさらに含んでもよい。垂直糸は、ウェブの長さに沿って縦方向に延在する一方で、水平糸は、ウェブの幅に沿って延在する。垂直糸および水平糸は、互いに直角に延在する。斜め糸は、垂直糸または水平糸に対してある角度で延在し、垂直糸または水平糸のいずれとも平行でないかまたは直角でない。
【００８３】
垂直糸、水平糸、および斜め糸は、軸糸とは異なり、ウェブの任意の部分に位置決めすることができ、中心軸に沿って位置決めする必要はない。放射状糸とは異なり、垂直糸は、ウェブの両方ではないにしても少なくとも一方の面にわたって互いに平行のままである。放射状糸とは異なり、水平糸は、ウェブの両方ではないにしても少なくとも一方の面にわたって互いに平行のままである。放射状糸とは異なり、斜め糸は、ウェブの両方ではないにしても少なくとも一方の面にわたって互いに平行のままである。螺旋糸とは異なり、垂直糸、水平糸、および斜め糸は、閉ループまたは螺旋を形成せず、ウェブの中心を通過することができる。本明細書に記載する全ての敷設糸と同様に、垂直糸、水平糸、および斜め糸は、本明細書に記載する移植可能なウェブの他の敷設糸に対して所定の位置に保持される糸通し糸を使用する。
【００８４】
いくつかの実施形態では、本明細書に記載するインプラントは、複数の垂直糸を含んでもよい。
【００８５】
いくつかの実施形態では、本明細書に記載するインプラントは、複数の水平糸を含んでもよい。
【００８６】
いくつかの実施形態では、本明細書に記載するインプラントは、複数の斜め糸を含んでもよい。
【００８７】
いくつかの実施形態では、本明細書に記載するインプラントは、複数の垂直糸および水平糸を含んでもよい。
【００８８】
いくつかの実施形態では、本明細書に記載するインプラントは、複数の垂直糸および斜め糸を含んでもよい。
【００８９】
いくつかの実施形態では、本明細書に記載するインプラントは、複数の斜め糸および水平糸を含んでもよい。
【００９０】
いくつかの実施形態では、本明細書に記載するインプラントは、垂直糸を含まなくてもよい。
【００９１】
いくつかの実施形態では、本明細書に記載するインプラントは、水平糸を含まなくてもよい。
【００９２】
いくつかの実施形態では、本明細書に記載するインプラントは、斜め糸を含まなくてもよい。
【００９３】
いくつかの実施形態では、本明細書に記載するインプラントは、各々同じ直径を有する垂直糸、水平糸、および／または斜め糸のいくつかの組み合わせを含んでもよい。
【００９４】
いくつかの実施形態では、本明細書に記載するインプラントは、螺旋糸および糸通し糸よりも大きい直径を有する垂直糸、水平糸、および／または斜め糸のいくつかの組み合わせを含んでもよい。
【００９５】
いくつかの実施形態では、垂直糸、水平糸、および／または斜め糸は、最も外側の螺旋糸によって画定され得るウェブの外縁を越えて延在し、ウェブの中心区域、中心、または軸糸に向かって巻き戻る。そのような実施形態では、垂直糸、水平糸、および／または斜め糸は、ウェブの外縁または最も外側の螺旋糸を２回横切り、それらの間に垂直ループ、水平ループ、および／または斜めループをそれぞれ形成する。係留糸のように、垂直ループ、水平ループ、および／または斜めループは、ウェブを組織に固定するのに適しており、外縁または最も外側の螺旋糸を越えて任意の距離だけ延在してもよい。
【００９６】
いくつかの実施形態では、本明細書に記載するウェブは、全て垂直ループを形成する垂直糸を含んでもよい。いくつかの実施形態では、本明細書に記載するウェブは、垂直ループを形成しない垂直糸のみを含んでもよい。いくつかの実施形態では、本明細書に記載するウェブは、垂直ループを形成しない垂直糸および垂直ループを形成する垂直糸の両方を含んでもよい。
【００９７】
いくつかの実施形態では、本明細書に記載するウェブは、全て水平ループを形成する水平糸を含んでもよい。いくつかの実施形態では、本明細書に記載するウェブは、水平ループを形成しない水平糸のみを含んでもよい。いくつかの実施形態では、本明細書に記載するウェブは、水平ループを形成しない水平糸および水平ループを形成する水平糸の両方を含んでもよい。
【００９８】
いくつかの実施形態では、本明細書に記載するウェブは、全て斜めループを形成する斜め糸を含んでもよい。いくつかの実施形態では、本明細書に記載するウェブは、斜めループを形成しない斜め糸のみを含んでもよい。いくつかの実施形態では、本明細書に記載するウェブは、斜めループを形成しない斜め糸および斜めループを形成する斜め糸の両方を含んでもよい。
【００９９】
ｇ．補強糸
本明細書に記載するウェブは、少なくとも１つの補強糸をさらに含んでもよい。補強糸は、インプラントの少なくとも一方の面の区域に追加されて、特定の区域（複数可）の敷設糸の密集度を増加させ、インプラントの少なくとも一方の面に補強ゾーンまたは部材を作成する。補強糸は、他の敷設糸と同様に、インプラントの補強区域内の他の敷設糸に対して所定の位置に補強糸を係止するために、糸通し糸を追加する必要がある。しかし、他の敷設糸とは異なり、補強糸は、任意の方向または方向の組み合わせに位置決めして、ウェブを強化するためにウェブの所定の区域で糸の密集度を増加させるのに適した任意の設計を形成することができる。例えば、補強糸は、インプラントの少なくとも一方の面に補強部材またはゾーンを形成するために、放射状様態（放射状糸と同様）で、螺旋様態（螺旋糸と同様）で、軸様態（軸糸と同様）で、インプラントの中心軸に平行に、インプラントの中心軸に垂直に、およびこれらの任意の組み合わせで、延在してもよい。
【０１００】
補強糸および／またはそれから形成される補強部材またはゾーンは、インプラントの少なくとも一方の面の周りで連続的または不連続であってもよい。いくつかの実施形態では、補強部材は、ウェブの少なくとも一方の面に位置決めされ、面の中心区域の周りに延在する連続ループの形態である。いくつかの実施形態では、補強部材を形成するために使用される補強糸は、補強区域上および螺旋糸の一部間でより高い密集度の螺旋様態で延在してもよい。代わりに、いくつかの実施形態では、補強部材またはゾーンを形成するために使用される補強糸は、補強区域上および放射状糸の一部間でより高い密集度の放射状様態で延在してもよい。
【０１０１】
他の実施形態では、補強部材は不連続であってもよく、インプラントの外周の周りに位置決めされる複数のタブを形成してもよい。そのような実施形態では、複数の補強部材を形成するために使用される補強糸は、インプラントの外周の周りに断続的に分散され、ウェブの螺旋糸および／または放射状糸の組み合わせの間で螺旋様態または放射状様態で延在してもよい。様々な他の形状および／または設計が図に示され、本明細書により詳細に記載される。
【０１０２】
いくつかの実施形態では、補強部材またはゾーンは、インプラントの片面に位置決めされる。いくつかの実施形態では、補強部材またはゾーンは、インプラントの両面に位置決めされる。
【０１０３】
本明細書でより詳細に後述するテーラードファイバー配置の使用により、より高い密集度の補強糸をウェブの特定の区域に敷設して、固定用の固定補強ゾーンおよび／または軟組織欠陥部の縫合の追加支持のための補強ゾーンを作成することができる。
【０１０４】
２．糸通し糸
前述のように、敷設糸、すなわち軸糸、放射状糸、螺旋糸、縁取り糸、係留糸、垂直糸、水平糸、斜め糸、および／または補強糸は、重なり合うかまたは交差する位置またはその付近の敷設糸の周りに係止ステッチを形成する糸通し糸によって、互いに対して重なり合うかまたは交差する位置に保持または係止される。係止ステッチは、敷設糸を互いに対して所定の位置に固定して、移植可能なウェブの全体構造を形成および／または維持する。
【０１０５】
係止ステッチを形成するために、本明細書に記載する移植可能なウェブは、織り交ぜることができる少なくとも第１および第２の糸通し糸を含む。追加の糸通し糸を使用してもよい。第１および第２の糸通し糸は、上下の糸通し糸であってもよく、第１および第２の糸通し糸は、互いに対して流動性の位置に敷設されるとき、糸（または基材）の上と下から、敷設糸、すなわち、軸糸、放射状糸、螺旋糸、縁取り糸、係留糸、および／または補強糸に接近する。
【０１０６】
図２Ｂにより詳細に示すように、第１および第２の糸通し糸は、異なる種類の敷設糸間の交点またはその付近で個々の敷設糸の周りに係止ステッチを形成するように一緒に織り交ぜられる。糸通し糸は、敷設糸が交差するかまたは重なり合う複数の交差点またはその付近で複数の係止ステッチを形成する。係止ステッチの各々間で、糸通し糸は、互いに交差するかまたは交差せずに、敷設糸と略並んで延在する。
【０１０７】
糸通し糸はまた、ウェブの全体構造に剛性および／または張力を加え、本明細書に記載するウェブに記憶効果、すなわち、展開時にウェブが元の平面構成に戻る能力を提供する。例えば、糸通し糸は、送達後および／または展開時に元の略平面構成に戻るように自動的に開くまたは広がる能力を維持しながら、十分な剛性または張力を加えて、（開腹または腹腔鏡処置を介して）移植の部位への送達のためにウェブを折り畳み、かつ／または巻くことを可能にする。
【０１０８】
いくつかの実施形態では、糸通し糸の直径は、少なくとも１つの敷設糸の直径よりも小さくてもよい。
【０１０９】
いくつかの実施形態では、糸通し糸の直径は、敷設糸の全てよりも小さくてもよい。
【０１１０】
いくつかの実施形態では、糸通し糸は、マルチフィラメントであってもよく、敷設糸は、モノフィラメントであってもよい。
【０１１１】
いくつかの実施形態では、糸通し糸は、モノフィラメントであってもよく、敷設糸は、モノフィラメントであってもよい。
【０１１２】
３．縫合アセンブリ
様々な敷設糸および糸通し糸に加えて、本明細書に記載するインプラントは、少なくとも１つの縫合アセンブリをさらに含んでもよい。縫合アセンブリは、第１および第２の端部の間に位置決めされた本体を有するある長さの縫合糸を含み、第１および第２の端部は、インプラントおよび／またはウェブの少なくとも一方の面に固定され、インプラントおよび／またはウェブを含ない本体部分はループまたはハンドルを形成する。縫合糸は、モノフィラメント縫合糸、マルチフィラメント縫合糸、またはこれらの任意の組み合わせであってもよい。
【０１１３】
インプラントおよび／またはウェブは、任意の数の縫合アセンブリを含んでもよい。いくつかの実施形態では、本明細書に記載するウェブは、ウェブの面上の中心にある単一の縫合アセンブリを含む。いくつかの実施形態では、本明細書に記載するウェブは、２つの縫合アセンブリを含み、各縫合アセンブリは、ウェブの面上の中心にある。いくつかの実施形態では、本明細書に記載するウェブは、複数の縫合アセンブリを含み、複数の縫合アセンブリは、ウェブの少なくとも一方の面にわたって対称的に分布する。
【０１１４】
少なくとも１つの縫合アセンブリは、任意の好適な方法を使用してウェブに固定されてもよい。いくつかの実施形態では、縫合アセンブリは、糸通し糸を使用してウェブに取り付けられてもよい。いくつかの実施形態では、縫合アセンブリは、編み、織り、編み組などのような従来の方法を使用して、ウェブに取り付けられてもよく、ウェブおよび／または基材の糸への縫合アセンブリの端部分。いくつかの実施形態では、縫合アセンブリは、縫合アセンブリの端部分をウェブおよび／または基材の糸に接着するために、接着材料を使用して取り付けられてもよい。
【０１１５】
少なくとも１つの縫合アセンブリは、インプラントの表面から延在する縫合アセンブリの長さの大部分を取り囲む管状カバーをさらに含んでもよい。管状カバーは、縫合アセンブリと同様に、任意の生体吸収性または非生体吸収性の材料を単独でまたは任意に組み合わせて含む任意の生体適合性材料で製造することができる。
【０１１６】
ＩＩ．基材（または基部材料）
本明細書に記載するインプラントは、移植可能なウェブの敷設糸および糸通し糸を組み合わせることができる基材をさらに含んでもよい。基材は、インプラントの永久的な部分であってもよく、または代わりに、移植の前頃にインプラントから除去されてもよい。
【０１１７】
基材は、任意の生体吸収性材料および／または任意の非生体吸収性材料を単独でまたは組み合わせて含む、移植に適した任意の生体適合性材料から製造されてもよい。
【０１１８】
いくつかの実施形態では、基材は、編み、編み組、織りなどのような従来の方法で製造された織物であり、経糸および緯糸などの織り込み糸を含む。好適な織物のいくつかの例は、米国特許第７，３３１，１９９号および同第９，１８６，２３５号に記載されていて、参照により本明細書に組み込まれる。いくつかの実施形態では、基材は編み織物であってもよい。いくつかの実施形態では、Ｐｒｏ−Ｇｒｉｐ（登録商標）メッシュであってもよい。
【０１１９】
いくつかの実施形態では、基材は、布または織物などの溶解性裏当て材料である。溶解性基材は、溶解性基材としての使用に適した酢酸塩または他の材料から形成されてもよい。溶解性基材材料は、溶解性基材を除去するために使用される溶解プロセス（複数可）が、溶解後に残るように設計されているウェブの糸の物理的特性に最小限の影響しか及ぼさないように選択される。
【０１２０】
いくつかの実施形態では、基材は、水、生理食塩水、または血液、粘液、汗、唾液などを含む他の天然の体液と接触して配置されたときに溶解する材料から製造される。そのような溶解性材料のいくつかの例として、これらに限定するものではないが、ポリビニルピロリドン、ポリエチレングリコール、ポリビニルアルコール、ポリアクリル酸、カルボキシメチルセルロース、アルギン酸塩、ヒアルロン酸、デキストラン、多糖類、ゼラチン、およびこれらの組み合わせが挙げられる。
【０１２１】
いくつかの実施形態では、インプラントは、移植可能なウェブおよび基材を含む。いくつかの実施形態では、基材は、ウェブよりも表面積が大きくてもよく、それによってウェブの外周縁を越えて広がり、インプラントの外周縁を画定する。
【０１２２】
ＩＩＩ．インプラントを形成する方法
本明細書に記載するインプラント、特に本明細書に記載する移植可能なウェブは、テーラードファイバー配置技術（ＴＦＰ）を使用して形成されてもよい。ＴＦＰは、少なくとも１つの糸をほぼ任意の所望の方向で基材上に連続的に配置して縫い付けて、織物を作成するという原理に基づくプロセスである。この場合、ＴＦＰ技術を使用して、少なくとも第１および第２の糸通し糸を織り交ぜることによって、基材上に、本明細書に記載する軸糸、放射状糸、螺旋糸、縁取り糸、係留糸、垂直糸、水平糸、斜め糸、および／または補強糸を配置および固定する。
【０１２３】
図１Ａ〜図１Ｂに示すように、ＴＦＰ技術は、敷設糸２０（軸糸、放射状糸、螺旋糸、縁取り、糸、係留糸、垂直糸、水平糸、斜め糸、および／または補強糸のうちの少なくとも１つを表す）を格納する少なくとも１つの敷設ボビンと、敷設糸２０を基材または基部材料３０の上に具体的に調整された様態で敷設または配置する場所を決定するための敷設ガイド要素１０と、を含むシステムを使用する。敷設糸２０は、糸針４０および糸ボビン４５の前方で基材３０上に配置される。糸針４０は、敷設糸２０と基材３０の同じ側に位置決めされ、糸ボビン４５は、基材３０の反対側に位置決めされる。第１の糸通し糸４１および第２の糸通し糸４６は、糸針４０および糸ボビン４５にそれぞれ接続される。敷設ガイド要素１０が基材３０上に敷設糸２０を敷設した後、第１の糸通し糸４１を含む糸針４０は、基材３０を貫通し、第１の糸通し糸４１を基材３０に通して糸ボビン４５に入る。糸ボビン４５は、第１の糸通し糸４１を捕捉し、第１の糸通し糸４１を第２の糸通し糸４６の周りに運ぶために移動するシャトルフック４７を含む。次に、糸針４０が上昇して基材３０の上面のその元の位置に戻り、第１および第２の糸通し糸４１、４６の両方を引っ張って、敷設糸２０および基材３０の周りに係止ステッチを形成し、それによって敷設糸２０を基材３０上の所定の位置に係止し、かつ／または敷設糸２０を他の敷設糸に対して所定の位置に係止する。針糸４０が上昇すると、敷設されたガイド要素１０、糸針４０、糸ボビン４５、および基材３０のいくつかの組み合わせは、新しい位置に前進する。敷設ガイド要素１０は、（矢印で示されるように）その上で３６０度回転するように設計され、テーラーメード設計に従って、敷設糸２０を基材３０上に配置することを可能にする。
【０１２４】
基材３０は、任意の三次元方向に基材を移動させることができる、可動式トレイまたはフレーム（図示せず）上に位置決めされてもよい。
【０１２５】
針、ボビンおよび／またはトレイ（またはフレーム）を含むシステムは、コンピュータおよび／またはコンピュータソフトウェアによって制御されてもよい。
【０１２６】
糸通し糸は、全ての敷設糸を基材につなぐ際に、また、基材の全体ではないにしても基材の少なくとも一部が除去される前、最中、および／または後に、様々な種類の敷設糸を単一のウェブ構造として一緒につないだ状態に保つために、重要な役割を果たす。
【０１２７】
ＴＦＰは、編み、編み組、および／または織りなどの従来の技術とは異なり、設計の観点からより柔軟であり、というのも繊維の配向、繊維の密集度、およびウェブの幾何学的形状を必要に応じて簡単に調整して、患者の生理機能にウェブの機械的挙動をより良く適応させ、かつ／またはジョギング、ウォーキング、咳、呼吸、曲げなどのような、処置後に行われる特定の種類の活動に通常関連付けられている様々な考えられる応力に対処することができるためである。
【０１２８】
さらに、ＴＦＰは、従来の技術と比較して、ファイバーレイダウンプロセスの量および配向において高レベルの精度および再現性を保証するため、ＴＦＰによって形成される特定のウェブ構成の機械的挙動は、開発中のシミュレーションを通じて、および／または移植前に予測しやすくなる。
【０１２９】
さらに、ＴＦＰは、テーラードデザインの移植可能なウェブを提供できるため、ＴＦＰは、従来の技術よりも少ない材料を使用し、このためＴＦＰによって製造される個々のウェブに関連付けられている材料損失はより少なく、したがってコストが低下する。
【０１３０】
いくつかの実施形態では、本明細書に記載する軟組織修復のための移植可能なウェブを形成する方法は、ａ）基材を可動式トレイ上に提供するステップと、ｂ）敷設ガイド要素を介して基材の第１の側面に複数の敷設糸を敷設するステップと、ｃ）第１の糸通し糸を含む針を、基材の第１の側面から基材を通して基材の第２の側面に、かつ第２の糸通し糸の周りに通すステップと、ｄ）針を基材の第１の側面に、第１および第２の糸通し糸の一部と共に戻して、複数の敷設糸のうちの少なくとも１つの周囲に係止ステッチを形成し、敷設糸を基材上の所定の位置に、かつ他の敷設糸に対して係止するステップと、ｅ）ステップｃ）およびｄ）を繰り返す前に、可動式トレイ、基材、敷設ガイド要素、または針のいくつかの組み合わせを前進させて、第１および第２の糸通し糸を敷設糸に沿って一定の長さだけ延在させるステップと、を含み得る。
【０１３１】
ＩＶ．インプラント
ここで図を参照すると、本明細書に記載する例示的なインプラントが示されており、インプラントの範囲を特に描写されたもののみに限定することを意図せず、さらに詳細に考察する。
【０１３２】
図２Ａに示すように、外科用ウェブ１００は、ウェブ１００の中心区域１０５、特に中心１０５ａからウェブ１００の外周縁１１５まで半径方向に延在する複数の放射状糸１１０ａ〜ｄと、ウェブ１００の中心区域１０５の周りを回り、複数の放射状糸１１０ａ〜ｄの間に延在する複数の螺旋糸１２０ａ〜ｄと、を含む。各螺旋糸１２０ａ〜ｄは、隣接する放射状糸１１０ａ〜ｄを接続する。代わりに、各放射状糸１１０ａ〜ｄは、隣接する螺旋糸１２０ａ〜ｄを接続する。
【０１３３】
螺旋糸１２０ａ〜ｄは、半径方向距離ｒだけ離間配置されている隣接する螺旋糸である。図示するように、半径方向距離ｒは、螺旋糸１２０ａ〜ｄに対して一定および／または同じである。いくつかの実施形態では、螺旋糸１２０ａ〜ｄは、中心区域１０５、特に、ウェブ１００の中心区域１０５内に位置決めされている中心１０５ａを横断しない。
【０１３４】
図２Ａにさらに示すように、いくつかの実施形態では、最も外側の螺旋糸１２０ａは、ウェブ１００の外周縁１１５を表してもよい。加えて、複数の螺旋糸１２０ａ〜ｄは、ウェブ１００の中心区域１０５の周りに互いに略平行に延在してもよく、かつ／またはウェブ１００の中心区域１０５の周りに等間隔で配置されてもよい。
【０１３５】
図２Ｂの拡大部分に示すように、放射状糸１１０ａ〜ｂは、螺旋糸１２０ａ〜ｄと重なり合うかまたは交差するが、螺旋糸１２０ａ〜ｄと織り込まれず、少なくとも第１の糸通し糸１３０および第２の糸通し糸１４０は、放射状糸１１０ａ〜ｂおよび／または螺旋糸１２０ａ〜ｄのうちの少なくとも一方の長さにほぼ沿って延在する。図２Ｂにさらに示すように、第１および第２の糸通し糸１３０、１４０は、放射状糸１１０ａ〜ｂおよび／または螺旋糸１２０ａ〜ｄの長さに沿って断続的に互いを織り交ぜて、複数の係止ステッチ１３５ａ〜ｃを形成する。係止ステッチ１３５ａ〜ｄは、ウェブ１００の全体構造を形成および／または維持するために、放射状糸１１０ａ〜ｂおよび螺旋糸１２０ａ〜ｄを互いに対して所定の位置に保持する。
【０１３６】
係止ステッチ１３５ａ〜ｄは、敷設糸、すなわち、放射状糸１１０ａ〜ｂおよび螺旋糸１２０ａ〜ｄの各々において図２Ｂに示されているが、いくつかの実施形態では、係止ステッチは、敷設糸、すなわち放射状糸または螺旋糸のうちの１つのみにあってもよいことが想定される。本明細書に記載するウェブは、ウェブの全体構造を形成および／または維持するのに十分な任意の数の係止ステッチを含み得ることがさらに想定される。
【０１３７】
いくつかの実施形態では、図２Ｂに示すように、少なくとも１つ、特に２つの係止ステッチは、各交差点の間、すなわち放射状糸１１０ａ〜ｂが螺旋糸１２０ａ〜ｄと交差するかまたは重なり合う位置に位置決めされている放射状糸１１０ａ〜ｂのうちの各々の長さに形成される。
【０１３８】
いくつかの実施形態では、図２Ｂにさらに示すように、少なくとも１つ、特に２つの係止ステッチは、各交差点の間、すなわち放射状糸１１０ａ〜ｂが螺旋糸１２０ａ〜ｄと交差するかまたは重なり合う位置に位置決めされている螺旋糸１２０ａ〜ｄのうちの各々の長さに形成される。
【０１３９】
図２Ｂはまた、いくつかの実施形態では、糸通し糸１３０、１４０が、敷設糸、すなわち、放射状糸１１０ａ〜ｂおよび／または螺旋糸１２０ａ〜ｄよりも直径（または非円形形状の断面サイズ）が小さくてもよいことを示している。
【０１４０】
いくつかの実施形態では、糸通し糸と放射状糸および螺旋糸との直径（または非円形形状の断面サイズ）の比はそれぞれ、約１：１：１〜約１：３：３の範囲であってもよい。
【０１４１】
図２Ｂは、さらに他の実施形態では、糸通し糸１３０、１４０が、放射状糸１１０ａ〜ｂよりも直径（または非円形形状の断面サイズ）が小さく、放射状糸は螺旋糸１２０ａ〜ｄよりも直径（または非円形形状の断面サイズ）が小さくてもよいことをさらに示している。
【０１４２】
このような実施形態では、糸通し糸と放射状糸および螺旋糸との直径（または非円形形状の断面サイズ）の比はそれぞれ、約１：２：３である。
【０１４３】
ここで図３を参照すると、インプラント２００は、中心開口部２０６を取り囲む中心区域２０５から縁取り糸２５０ａ〜ｄによって画定されるウェブ２０１の外周縁２１５まで半径方向に延在する、複数の放射状糸２１０から形成される移植可能ウェブ２０１を含む。ウェブ２０１は、ウェブ２０１の中心区域２０５の周りを回り、複数の放射状糸２１０間に延在する複数の螺旋糸２２０をさらに含む。螺旋糸２２０は、隣接する放射状糸２１０を接続する。図示するように、螺旋糸２２０は、ウェブ２０１の中心開口部２０６を横断しない。少なくとも第１および第２の糸通し糸もまた存在するが、拡大図には示されていない。
【０１４４】
中心開口部２０６は、特に糸通し糸、軸糸、放射状糸、螺旋糸、縁取り糸、および／または係留糸を含むいかなる糸も含まない。
【０１４５】
外科用ウェブ２０１は、縁取り糸２５０ａ〜ｄおよび係留糸２６０ａ〜ｄをさらに含み、縁取り糸２５０ａ〜ｄは、ウェブ２０１の外周縁２１５を画定し、係留糸２６０ａ〜ｄは、縁取り糸２５０ａ〜ｄおよび／またはウェブ２０１の外周縁２１５から離れる方向に延在する。
【０１４６】
図３に示すように、放射状糸２１０は、最も外側の螺旋糸２２０（中心区域２０５から最も遠い螺旋糸）を越えて縁取り糸２５０ａ〜ｄまで延在し、それによって周辺外縁２１５の付近に、螺旋糸２２０を含まず、かつ／または放射状糸２１０（および任意に糸通し糸）のみを含むゾーンＺを作成する。放射状糸の長さは、ゾーンＺにおいて変化してもよい。
【０１４７】
縁取り糸２５０ａ〜ｄは、最も外側の螺旋糸２２０から半径方向の縁取り距離ｆだけ変位している。図示するように、半径方向の縁取り距離ｆは、ウェブ２０１の周りで変化する可能性があり、かつ／または放射状縁取り距離ｆは、螺旋糸２２０の全てではないにしても少なくともいくつかの間の半径方向距離ｒよりも大きい。
【０１４８】
いくつかの実施形態では、本明細書に記載するウェブは、一定の半径方向距離ｒおよび変化する半径方向縁取り距離ｆを含んでもよい。
【０１４９】
図３にさらに示すように、係留糸２６０ａ〜ｄは、中心区域２０５に位置付けられているウェブ２０１の中心開口部２０６と位置合わせされる様態で縁取り糸２５０ａ〜ｄから半径方向に延在する。係留糸はまた、単独で、または放射状に延在する係留糸と組み合わせて、非放射状の様態で延在し得ることも想定される。
【０１５０】
図２Ｂの拡大図に示すような、また図３のウェブ２０１および敷設糸、すなわち放射状糸、螺旋糸、縁取り糸、および／または係留糸（拡大図には示していない）にも同様に適用可能である、少なくとも第１の糸通し糸および第２の糸通し糸は、互いに織り交ぜられて、敷設糸、すなわち放射状糸、螺旋糸、縁取り糸、および／または係留糸（全てを図示せず）の周りに係止ステッチを形成し、敷設糸の各々を互いに対して所定の位置に保持して、ウェブ２０１の全体構造を形成および／または維持する。いくつかの実施形態では、係止ステッチは、複数の敷設糸を互いに対して所定の位置に保持してウェブの構造を維持するために、敷設糸の少なくとも２つの上または周りに位置決めされてもよい。
【０１５１】
ここで図４Ａ〜図４Ｄを参照すると、少なくとも１つの軸糸３０７、複数の放射状糸３１０、および複数の螺旋糸３２０から形成されたウェブ３０１を含むインプラント３００が示されている。図４Ａに具体的に示すように、１つの軸糸３０７は、軸糸３０７の近位端３０７ａと遠位端３０７ｂとの間でウェブ３０１の中心縦軸ＣＬＡに沿って延在する。軸糸３０７は、ウェブ３０１の外周縁３１５まで延在しない。いくつかの実施形態では、少なくとも１つの軸糸は、ＣＬＡではなく中心横軸ＣＴＡに沿って延在し得ることが想定される。
【０１５２】
図４Ａにさらに示すように、複数の放射状糸３１０は、少なくとも１つの位置３０８ａから、時には複数の異なる位置３０８ａ〜ｃから、軸糸３０７の長さに沿って半径方向に延在する。軸糸３０７から離間配置され、軸糸３０７の周りを回り、複数の放射状糸３１０の間に延在する複数の螺旋糸３２０。軸糸３０７を横断せずに、隣接する放射状糸３１０を接続する螺旋糸３２０。
【０１５３】
図４Ａにまたさらに示すように、螺旋糸３２０は、ＣＬＡに実質的に平行（またはＣＴＡに実質的に直角）である２つの対向する長辺３２３ａ、およびＣＬＡに実質的に直角（またはＣＴＡに実質的に平行）である２つの対向する短辺３２３ｂを有する略楕円の形状を形成することができ、螺旋糸３２０の短辺３２３ｂの各々において、中心縦軸ＣＬＡに沿ってウェブ３０１の外周縁３１５に向かって延在する第１および第２のＵ字形屈曲部３２４ａ、３２４ｂを形成し、ウェブ３０１の中心に最も近いＵ字形屈曲部に開口部を有する。いくつかの実施形態では、図４Ａに示すように、最も内側の螺旋糸３２０の全体的な輪郭は、ウェブ３０１の外周縁３１５の全体的な輪郭と異なっていてもよい。
【０１５４】
図２Ｂの拡大図に示すような、また図４Ａのウェブ３０１および敷設糸、すなわち放射状糸、螺旋糸、および／または軸糸（拡大図には示していない）にも同様に適用可能である少なくとも第１の糸通し糸および第２の糸通し糸は、互いに織り交ぜられて、敷設糸、すなわち放射状糸、螺旋糸、および／または軸糸（全てを図示せず）の任意の組み合わせの周りに係止ステッチを形成し、敷設糸の各々を互いに対して所定の位置に保持して、ウェブ３０１の全体構造を形成および／または維持する。
【０１５５】
ここで図４Ｂ〜図４Ｄを参照すると、いくつかの実施形態では、ウェブ３０１は、螺旋糸３２０と比較してより高い弾性率を有する少なくとも１つの放射状糸３１０および／または軸糸３０７を含んでもよい。軸糸および放射状糸３０７、３１０と比較してより低い弾性率を有する螺旋糸３２０は、一方向または多方向の負荷を受けたときにウェブ３００の伸びを制限する。
【０１５６】
いくつかの実施形態では、手術後の患者の通常の日常活動（例えば、呼吸、着座、横たわることなど）に関連付けられている応力にウェブがさらされる場合など、一方向の負荷にさらされることにより、図４Ｂの一対の矢印によって示されるように、放射状糸および／または軸糸３１０、３０７は任意の方向に一軸方向に伸び得る一方で、より弾性の低い螺旋糸３２０はウェブ３０１の残りが伸ばされることを制限する。この糸の組み合わせにより、編み、編み組、織りなどのような他の繊維技術によって製造された従来のメッシュと比較して、日々の患者の創傷に対する刺激がより少なく、および／または痛みがより少ない様態で、一方向の応力に適応するウェブの能力が向上する。
【０１５７】
いくつかの実施形態では、手術後の患者のより高度な活動（例えば、ランニング、エクササイズ、ジャンプ、ダンス、咳など）に関連付けられている複数またはより高いレベルの応力（複数可）にウェブがさらされる場合など、多方向の負荷にさらされることにより、図４Ｃの矢印で示すように、放射状糸および／または軸糸３１０、３０７が多軸方向に伸び得る一方で、より弾性率の低い螺旋糸３２０は、ウェブ３０１がより弾性率の低い（放射状および／または軸糸よりも低い弾性度を有する）螺旋糸３２０によって画定される特定のレベルの張力を超えて伸ばされるのを制限する。
【０１５８】
図４Ｄに示す矢印で示すように、放射状糸および軸糸３１０、３０７のより高い弾性率により、ウェブ３０１の全体構造が、一般的に硬い従来の外科用メッシュに関連付けられているいかなる変形もおよび／または膨らみ効果も伴わずに、多方向負荷が除去されるとその初期の形状または構成に戻ることを可能にする。
【０１５９】
この糸の組み合わせにより、編み、編み組、織りなどの他の繊維技術によって製造された従来のメッシュと比較して、応力の印加中および応力の除去後の両方でウェブの補強機能を維持する様態で、多方向応力に適応するウェブの能力が向上する。
【０１６０】
本明細書に記載するインプラントおよびウェブのこれらの改善された適応挙動により、個々にまたは組み合わせて、患者は、毎日の腹部応力にさらされる前および／または後に創傷組織を刺激する移植可能なウェブに起因するより少ない痛みを経験し、患者の毎日の活動により早く戻り、かつ／または、編み、編み組、織りなどの他の織物技術によって製造された従来のメッシュにさらされた患者と比較して、インプラントが創傷を適切に支持しないという不具合を経験する可能性がより低くなり得る。
【０１６１】
図５は、少なくとも１つの軸糸４０７、複数の放射状糸４１０、４１１、複数の水平糸４１２、および糸通し糸（図５には示さず図２Ａを参照）によって基材４０２に配置および固定された複数の螺旋糸４２０ａ〜ｃから製造されたウェブ４０１を含むインプラント４００を示す。少なくとも１つの軸糸４０７は、ウェブ４０１のＣＬＡに沿ってウェブ４０１の外周縁４１５まで延在する。ウェブ４０１は、基材４０２の上部に敷設された状態で示されており、基材４０２は、ウェブ４０１の軸糸、放射状糸、螺旋糸、および水平糸の間に示される隙間の全てではないにしても少なくともいくつかを埋め、ウェブ４０１の外周縁４１５を越えて延在する。そのような実施形態では、基材の外周縁４４５は、インプラント４００の外周縁４０５を画定する。
【０１６２】
図５にさらに示すように、複数の放射状糸４１１の第１の部分は、軸糸４０７の近位端部分４０７ａから半径方向に延在し、複数の放射状糸４１０の第２の部分は、軸糸４０７の遠位端部４０７ｂから半径方向に延在する。複数の水平糸４１２は、近位端部分４０７ａと遠位端部分４０７ｂとの間に位置決めされた軸糸４０７の部分から、またはそれを横切って延在する。水平糸４１２は、ＣＬＡと同様に軸糸４０７に実質的に直角に延在し、ウェブ４０１の面を横切って外周縁４１５まで互いに平行のままである。
【０１６３】
図２Ｂの拡大図に示すような、また図５のウェブ４０１および敷設糸、すなわち軸糸、放射状糸、螺旋糸、および／または水平糸（拡大図には示していない）にも同様に適用可能である少なくとも第１の糸通し糸および第２の糸通し糸は、互いに織り交ぜられて、敷設糸、すなわち軸糸、放射状糸、螺旋糸、および／または水平糸（全てを図示せず）の任意の組み合わせの周りに係止ステッチを形成し、敷設糸の各々を互いに対して所定の位置に保持して、ウェブ４０１の全体構造を形成および／または維持する。
【０１６４】
図６を参照すると、少なくとも１つの軸糸５０７、放射状糸５１０、および螺旋糸５２０、ならびに少なくとも１つ、特に複数の補強ゾーン５９０を含むウェブ５０１を含むインプラント５００が示されている。追加の第１および第２の糸通し糸もまた存在するが、拡大図には示されていない。加えて、いくつかの実施形態では、インプラント５００および／またはウェブ５０１は、基材、水平糸、垂直糸、斜め糸、縁取り糸、および／または係留糸をさらに含んでもよい。
【０１６５】
補強ゾーン５９０は、ウェブ５０１の放射状糸５１０および／または螺旋糸５２０の間の空間を横切って延在するように示されている。補強ゾーン５９０は、ウェブ５０１に補強糸５９１を追加することにより形成される。追加の糸通し糸を使用して、補強糸５９１を放射状糸５１０および／または螺旋糸５２０に対して所定の位置に保持してもよい。補強糸５９１は、放射状糸５１０および／または螺旋糸５２０の間に延在し、それらの間の空間を少なくとも部分的に埋める。しかし、図６にさらに示すように、いくつかの実施形態では、補強ゾーン５９０の各々の補強糸５９１は不連続であり、限られた数の放射状糸５１０および／または螺旋糸５２０にわたって延在して、複数の不連続補強ゾーン５９０を作成してもよい。
【０１６６】
いくつかの実施形態では、図６にさらに示すように、補強ゾーン５９０のうちの少なくともいくつかは、螺旋糸５２０と同じ数の放射状糸５１０の間に延在してもよく、すなわち、図示するように、２つの放射状糸と２つの螺旋糸との間に延在する。いくつかの実施形態では、補強ゾーンの全ては、図示するように、ウェブの全面にわたって同じ数の放射状糸５１０および／または螺旋糸５２０の間に延在してもよい。
【０１６７】
いくつかの実施形態では、補強ゾーンのうちの少なくともいくつかは、螺旋糸と異なる数の放射状糸の間に延在してもよく、すなわち、２つの放射状糸と３つの螺旋糸との間に延在する（図示せず）。いくつかの実施形態では、補強ゾーンの全ては、ウェブの面全体にわたって異なる数の放射状糸および／または螺旋糸の間に延在する（図示せず）。
【０１６８】
いくつかの実施形態では、補強ゾーン５９０は、同じ数の放射状糸５１０および／または螺旋糸５２０、すなわち図示するように、２つの放射状糸および２つの螺旋糸によって分離されてもよい。いくつかの実施形態では、補強ゾーン５９０の全ては、図示するように、ウェブの面全体にわたって同じ数の放射状糸５１０および／または螺旋糸５２０によって分離される。
【０１６９】
いくつかの実施形態では、補強ゾーンは、異なる数の放射状糸および／または螺旋糸、すなわち２つの放射状糸および３つの螺旋糸によって分離されてもよい（図示せず）。いくつかの実施形態では、補強ゾーンの全ては、ウェブの表面全体にわたって異なる数の放射状糸および／または螺旋糸によって分離される（図示せず）。
【０１７０】
いくつかの実施形態では、補強ゾーン５９０は、外周縁５１５から距離ｄに位置決めされてもよい。ウェブ５０１の縁部５１５から約０．０５ｃｍ〜約５ｃｍの範囲の距離ｄ。いくつかの実施形態では、約０．１ｃｍ〜約２．５ｃｍの範囲の距離ｄ。いくつかの実施形態では、約０．２５ｃｍ〜約２ｃｍの範囲の距離ｄ。いくつかの実施形態では、距離ｄは、縁部５１５から約０．５ｃｍ〜約１ｃｍである。
【０１７１】
いくつかの実施形態では、複数の不連続補強ゾーン５９０は、ウェブ５０１の表面上で距離Ｄだけ互いから分離されてもよい。各隣接ゾーン５９０間で約０．０５ｃｍ〜約５ｃｍの範囲の距離Ｄ。いくつかの実施形態では、約０．１ｃｍ〜約２．５ｃｍの範囲の距離Ｄ。いくつかの実施形態では、約０．２５ｃｍ〜約２ｃｍの範囲の距離Ｄ。いくつかの実施形態では、距離Ｄは約２ｃｍである。
【０１７２】
図２Ｂの拡大図に示すような、また図６のウェブ５０１および敷設糸、すなわち軸糸、放射状糸、螺旋糸、および／または補強糸（拡大図には示していない）にも同様に適用可能である少なくとも第１の糸通し糸および第２の糸通し糸は、互いに織り交ぜられて、敷設糸、すなわち軸糸、放射状糸、螺旋糸、および／または補強糸（全てを図示せず）の任意の組み合わせの周りに係止ステッチを形成し、敷設糸の各々を互いに対して所定の位置に保持して、補強ゾーン５９０および／またはウェブ５０１の全体構造を形成および／または維持する。
【０１７３】
図７では、軸糸６０７、放射状糸６１０、螺旋糸６２０、および連続リング６９０の形状の少なくとも１つの補強ゾーンから形成されたウェブ６０１を含むインプラント６００が示されている。追加の第１および第２の糸通し糸もまた存在するが、拡大図には示されていない。加えて、いくつかの実施形態では、インプラント６００および／またはウェブ６０１は、基材、水平糸、垂直糸、斜め糸、縁取り糸、および／または係留糸をさらに含んでもよい。
【０１７４】
補強リング６９０は、中心６０５および軸糸６０７の周りを回り、ウェブ６０１の放射状糸６１０と螺旋糸６２０との間の空間を横切って延在するように示されている。補強リング６９０は、螺旋糸６２０と同様に、ウェブ６０１の中心６０５および軸糸６０７の周りと同じ連続経路をたどるが、より近接および／またはより密集した様態で補強リング６９０を生成し得る補強糸６９１の追加によって形成される。いくつかの実施形態では、補強糸は、リング６９０を形成するために、隣接する螺旋糸６２０より高い密集度で、かつより近接した追加の螺旋糸６２０であってもよい。いくつかの実施形態では、補強糸は、リング６９０を形成するために、隣接する放射状糸６１０より高い密集度で、かつより近接した追加の放射状糸６１０であってもよい。追加の糸通し糸を使用して、補強糸６９１を放射状糸６１０および／または螺旋糸６２０に対して所定の位置に保持してもよい。
【０１７５】
補強リング６９０の剛性はウェブ６０１の剛性よりも大きいので、補強リング６９０はウェブ６０１を堅くし、ウェブ６０１に自然に広がる能力を提供することが想定される。加えて、補強リング６９０は補強糸６９１から製造されているので、補強リング６９０は、組織の内部成長を促進するのに適した多孔性を維持する。また、補強リングまたはゾーン６９０は、縫合糸、ステープル、タック、ピン、ネジなどのような外科用留め具を受け入れるためにウェブ６０１を強化するように構成される。いくつかの実施形態では、図７に示すように、補強ゾーン６９０は、軸糸６１０を横断しない。
【０１７６】
図２Ｂの拡大図に示すような、また図７のウェブ６０１および敷設糸、すなわち軸糸、放射状糸、螺旋糸、および／または補強糸（拡大図には示していない）にも同様に適用可能である少なくとも第１の糸通し糸および第２の糸通し糸は、互いに織り交ぜられて、敷設糸、すなわち軸糸、放射状糸、螺旋糸、および／または補強糸（全てを図示せず）の周りに係止ステッチを形成し、敷設糸の各々を互いに対して所定の位置に保持して、補強ゾーン６９０および／またはウェブ６０１の全体構造を形成および／または維持する。
【０１７７】
図８では、軸糸７０７、放射状糸７１０、螺旋糸７２０、ならびにウェブ７０１の中心７０５および軸糸７０７の周りに位置決めされた複数の不連続補強リング７９０、７９１から形成されたウェブ７０１を含むインプラント７００が示されている。図示するように、第１の補強リング７９０は、略Ｃ字形であり、また、略Ｃ字形である第２の補強リング７９１に面している。図示するように、略Ｃ字形の補強材は、ウェブ７０１の中心７０５の周りに延在しながら、波状および／または正弦波状であり得る。しかしまた、略Ｃ字形の補強リングは、波状を含まずかつ／または滑らかであり得ることも想定される。
【０１７８】
第１および第２の補強リング７９０、７９１は、それぞれの端部７９０ａ〜ｂ、７９１ａ〜ｂの付近で離間配置されて、ウェブを２つの等しい半分に折り畳むためのウェブの表面を横切る固定折り畳み線Ｌを画定する。図示するように、端部７９０ａ〜ｂ、７９１ａ〜ｂの全てではないにしても少なくとも１つは、ＣＬＡに平行に延在する。いくつかの実施形態では、折り畳み線Ｌは、ウェブ７０１のＣＬＡに沿って位置決めされ、かつ／または軸糸７０７の長さをたどる。追加の第１および第２の糸通し糸もまた存在するが、拡大図には示されていない。加えて、いくつかの実施形態では、インプラント７００および／またはウェブ７０１は、基材、水平糸、垂直糸、斜め糸、縁取り糸、および／または係留糸をさらに含んでもよい。
【０１７９】
図２Ｂの拡大図に示すような、また図８のウェブ７０１および敷設糸、すなわち軸糸、放射状糸、螺旋糸、および／または補強糸（拡大図には示していない）にも同様に適用可能である少なくとも第１の糸通し糸および第２の糸通し糸は、互いに織り交ぜられて、敷設糸、すなわち軸糸、放射状糸、螺旋糸、および／または補強糸の周りに係止ステッチを形成し、敷設糸の各々を互いに対して所定の位置に保持して、補強ゾーン７９０、７９１および／またはウェブ７０１の全体構造を形成および／または維持する。
【０１８０】
図９では、インプラント８００は、軸糸８０７、放射状糸８１０、螺旋糸８２０から形成されたウェブ８０１と、ウェブ８０１の中心帯に沿って縦方向に延在する補強ゾーン８９０と、を含む。追加の第１および第２の糸通し糸もまた存在するが、拡大図には示されていない。加えて、いくつかの実施形態では、インプラント８００および／またはウェブ８０１は、基材、水平糸、垂直糸、斜め糸、縁取り糸、および／または係留糸をさらに含んでもよい。
【０１８１】
図示するように、補強ゾーン８９０は、第１の周辺外縁８１５ａから第２の周辺外縁８１５ｂまで軸糸８０７に沿って延在するストリップの形態である。軸糸８０７、放射状糸８１０、および螺旋糸８２０のより高い密集度が、補強ゾーン８９０内に見られる。より高い密集度により、それぞれの軸糸８０７、放射状糸８１０、および螺旋糸８２０は、補強ゾーン８９０の外側のいずれかの糸よりも本質的に太く、および／または補強ゾーン８９０内で互いにより近接し、より密に位置付けられる。
【０１８２】
いくつかの実施形態では、本明細書に記載する補強ゾーン内の糸のうちのいずれかは、補強ゾーンの外側の糸よりも高い引張強度を示す材料から製造されてもよい。いくつかの実施形態では、補強ゾーンの外側の糸は、補強ゾーンの内側の糸よりも大きい弾性を示す材料から製造されてもよい。
【０１８３】
補強ゾーン８００は、ウェブ８０１の中心帯８０６を横切って距離ｄ’だけ延在してもよい。いくつかの実施形態では、補強ゾーン８９０は、約０．０５ｃｍ〜約１５ｃｍの範囲の中心帯８０６を横切って距離ｄ’だけ延在してもよい。いくつかの実施形態では、距離ｄ’は、約０．１ｃｍ〜約１２．５ｃｍの範囲である。いくつかの実施形態では、距離ｄ’は約０．２５ｃｍ〜約１０ｃｍの範囲である。いくつかの実施形態では、距離ｄ’は、約１ｃｍ〜約５ｃｍの範囲である。いくつかの実施形態では、距離ｄ’は、約２．５ｃｍである。
【０１８４】
図２Ｂの拡大図に示すような、また図９のウェブ８０１および敷設糸、すなわち軸糸、放射状糸、螺旋糸、および／または補強糸（拡大図には示していない）にも同様に適用可能である少なくとも第１の糸通し糸および第２の糸通し糸は、互いに織り交ぜられて、敷設糸、すなわち軸糸、放射状糸、螺旋糸、および／または補強糸（全てを図示せず）の任意の組み合わせの周りに係止ステッチを形成し、敷設糸の各々を互いに対して所定の位置に保持して、補強ゾーン８９０および／またはウェブ８０１の全体構造を形成および／または維持する。
【０１８５】
ここで図１０を参照すると、インプラント９００は、軸糸９０７、放射状糸９１０、螺旋糸９２０、および少なくとも１つの縫合アセンブリ９６０を有するウェブ９０１を含む。軸糸９０７、放射状糸９１０、および螺旋糸９２０は、本明細書に記載および／または図示する実施形態のいずれかで記載する軸糸、放射状糸、および／または螺旋糸のいずれかを表すことを意図している。追加の第１および第２の糸通し糸もまた存在するが、拡大図には示されていない。加えて、いくつかの実施形態では、インプラント９００および／またはウェブ９０１は、基材、水平糸、垂直糸、斜め糸、縁取り糸、補強糸、および／または係留糸をさらに含んでもよい。
【０１８６】
縫合アセンブリ９６０は、ウェブ９０１の表面に取り付けられ、ウェブ９０１を含まない縫合ループ９６５を中間に形成する第１および第２の端部９６１ａ、９６１ｂを有する、少なくとも１つのモノフィラメントまたはマルチフィラメント縫合糸を含む。縫合アセンブリ９６０の第１および第２の端部９６１ａ、９６１ｂは、軸糸９０７、放射状糸９１０、螺旋糸９２０、ならびに糸通し糸、縁取り糸、係留糸、補強糸、およびこれらの組み合わせのうちの少なくとも１つに直接取り付けることができる。
【０１８７】
第１および第２の端部９６１ａ、９６１ｂの周りで、ウェブ９０１の表面に対して旋回可能である縫合ループ９６５。いくつかの実施形態では、縫合ループ９６５は、ウェブ９０１が縦軸に沿って位置する平面とは異なる平面内でウェブ９０１の表面から離れる方向に延在する。
【０１８８】
図示するように、いくつかの実施形態では、縫合アセンブリ９６０の第１および第２の端部９６１ａ、９６１ｂは、ウェブ９０１の少なくとも一方の面の中心にあってもよい。さらに図示するように、いくつかの実施形態では、第１および第２の端部９６１ａ、９６１ｂは、ＣＴＡに沿っておよび／または軸糸９０７の両側でウェブ９０１の表面に取り付けられてもよい。
【０１８９】
他の実施形態では、縫合アセンブリの第１および第２の端は、軸糸の近位端部分および遠位端部分に直接取り付けることができる。
【０１９０】
さらに他の実施形態では、縫合アセンブリの第１および第２の端部、軸糸の両側の一対の放射状糸に直接取り付けられてもよく、それによって縫合ループが軸糸を横断することを可能にする。
【０１９１】
縫合ループ９６５は、ウェブ９０１の面から高さＨだけ延在してもよい。約０．１ｃｍ〜約５０ｃｍの範囲の距離Ｈ、いくつかの実施形態では、０．５ｃｍ〜約４０ｃｍ、いくつかの実施形態では、約１ｃｍ〜約３０ｃｍ、いくつかの実施形態では、約５ｃｍ〜約２５ｃｍ、いくつかの実施形態では、約１０ｃｍ〜約２０ｃｍ。
【０１９２】
いくつかの実施形態では、縫合ループ９６５は、ウェブ９０１の表面から略直角に永久的に延在するように構成されてもよい。いくつかの実施形態では、縫合ループ９６５は、縫合ループ９６５が、ウェブ９０１と略同一平面上に、かつ／または略平行に延在する平坦位置からウェブ９０１の平面に略直角な位置まで旋回することを可能にするように構成された様態で、ウェブ９０１の少なくとも１つの表面に取り付けられる。縫合アセンブリ９６０は、患者の身体の内側および／または外側からのウェブ９０１の取り扱いおよび／または固定のために使用されてもよい。
【０１９３】
図２Ｂの拡大図に示すような、また図１０のウェブ９０１および敷設糸、すなわち軸糸、放射状糸、螺旋糸、および／または補強糸（拡大図には示していない）にも同様に適用可能である少なくとも第１の糸通し糸および第２の糸通し糸は、互いに織り交ぜられて、敷設糸、すなわち軸糸、放射状糸、螺旋糸、および／または補強糸（全てを図示せず）の任意の組み合わせの周りに係止ステッチを形成し、敷設糸の各々を互いに対して所定の位置に保持して、縫合アセンブリ９６０および／またはウェブ９０１の全体構造を形成および／または維持する。
【０１９４】
図１１を参照すると、インプラントは、軸糸１００７、放射状糸１０１０、螺旋糸１０２０、ならびに２つ以上および／または複数の縫合アセンブリ１０６０ａ〜ｅから形成されたウェブ１００１を含む。軸糸１００７、放射状糸１０１０、および螺旋糸１０２０は、本明細書に記載および／または図示する実施形態のいずれかで記載する軸糸、放射状糸、および／または螺旋糸のいずれかを表すことを意図している。加えて、ウェブ１００１は、本明細書に記載および／または図示するように、基材、縁取り糸、係留糸、補強糸、ならびに／または第１および第２の糸通し糸をさらに含んでもよい。各縫合アセンブリ１０６０ａ〜ｅは、ウェブ１００１の表面に取り付けられ、ウェブ１００１の表面を含まない縫合ループ１０６５を中間に形成する第１および第２の端部１０６１ａ〜ｅ、１０６２ａ〜ｅを有する少なくとも１つのモノフィラメントまたはマルチフィラメント縫合糸を含む。
【０１９５】
縫合アセンブリの第１および第２の端部は、軸糸、放射状糸、螺旋糸、糸通し糸、縁取り糸、係留糸、補強糸、およびこれらの組み合わせの少なくとも１つに直接取り付けることができる。
【０１９６】
図示するように、いくつかの実施形態では、複数の縫合アセンブリ１０６０ａ〜ｅおよび／または縫合ループ１０６５ａ〜ｅは、軸糸１００７の周りおよび／またはウェブ１００１の表面の外周に沿ってウェブ１００１の表面に位置決めされてもよい。任意の数の縫合アセンブリが想定される。縫合アセンブリは、軸糸１００７の周りに対称的または非対称的に位置決めされてもよい。加えて、縫合アセンブリは、ウェブの中心部分と外周との両方に位置決めされ得ることが想定される。
【０１９７】
図示するように、いくつかの実施形態では、縫合アセンブリ１０６０ｂ〜ｃの第１の端部１０６１ｂ〜ｃおよび第２の端部１０６２ｂ〜ｃは、軸糸１００７の両側で放射状糸１０１０に取り付けられる。図示するように、いくつかの実施形態では、縫合アセンブリ１０６０ｄ〜ｅの第１の端部１０６１ｄ〜ｅおよび第２の端部１０６２ｄ〜ｅは、ＣＴＡの両側で同じ螺旋糸１０２０に取り付けられる。
【０１９８】
縫合ループ１０６５ａ〜ｅは、ウェブ１００１の面から距離Ｈだけ延在してもよい。約０．１ｃｍ〜約５０ｃｍの範囲の距離Ｈ、いくつかの実施形態では、０．５ｃｍ〜約４０ｃｍ、いくつかの実施形態では、約１ｃｍ〜約３０ｃｍ、いくつかの実施形態では、約５ｃｍ〜約２５ｃｍ、いくつかの実施形態では、約１０ｃｍ〜約２０ｃｍ。
【０１９９】
いくつかの実施形態では、距離Ｈは、複数の縫合ループ１０６５に対して同じであってもよい。いくつかの実施形態では、距離Ｈは、複数の縫合ループ１０６５に対して異なっていてもよい。
【０２００】
各縫合アセンブリ１０６０ａ〜ｅの第１の端部１０６１ａ〜ｅは、各縫合アセンブリ１０６０ａ〜ｅのそれぞれの第２の端部１０６２ａ〜ｅから距離ｘだけ離間配置されてもよい。約０．１ｃｍ〜約２５ｃｍの範囲の距離ｘ、いくつかの実施形態では、０．２ｃｍ〜約２０ｃｍ、いくつかの実施形態では、約０．３ｃｍ〜約１５ｃｍ、いくつかの実施形態では、約０．４ｃｍ〜約１０ｃｍ、いくつかの実施形態では、約０．５ｃｍ〜約５ｃｍ。他の実施形態では、距離ｘは、約０．５ｃｍ、約０．７５ｃｍ、約１．０ｃｍ、約１．２５ｃｍ、約１．５ｃｍ、約１．７５ｃｍ、または約２ｃｍから選択される。
【０２０１】
さらに他の実施形態では、距離ｘは、高さＨの割合を表してもよい。例えば、距離ｘは、高さＨの約２％〜約９８％、いくつかの実施形態では、約３％〜５０％、いくつかの実施形態では約４％〜約２０％、いくつかの実施形態では約５％〜約１０％の範囲であり得る。
【０２０２】
いくつかの実施形態では、縫合ループ１０６５ａ〜ｅは、ウェブ１００１の表面から略直角に延在する。いくつかの実施形態では、縫合ループ１０６５ａ〜ｅは、縫合ループ１０６５ａ〜ｅが、ウェブ１００１と略同一平面上に、かつ／または略平行に延在する平坦位置からウェブ１００１の平面に略直角な位置まで旋回することを可能にする様態で、ウェブ１００１の少なくとも１つの表面に取り付けられる。縫合アセンブリ１０６０は、患者の身体の内側および／または外側からのウェブ１００１の取り扱いおよび／または固定のために使用されてもよい。
【０２０３】
図２Ｂの拡大図に示すような、また図１１のウェブ１００１および敷設糸、すなわち軸糸、放射状糸、螺旋糸、および／または補強糸（拡大図には示していない）にも同様に適用可能である少なくとも第１の糸通し糸および第２の糸通し糸は、互いに織り交ぜられて、敷設糸、すなわち軸糸、放射状糸、螺旋糸、および／または補強糸（全てを図示せず）の任意の組み合わせの周りに係止ステッチを形成し、敷設糸の各々を互いに対して所定の位置に保持して、縫合アセンブリ１０６０および／またはウェブ１００１の全体構造を形成および／または維持する。
【０２０４】
図１２Ａは、本明細書に記載するような他の敷設糸の任意の組み合わせと組み合わされる前の、垂直糸１１６０、水平糸１１６５、および斜め糸１１７０を含む本明細書に記載するようなウェブ１１００を示す。図１２Ａは、水平糸、垂直糸、および／または斜め糸が他の糸の前に敷設されなければならないことを示すことを意図していない。むしろ、図１２Ａは、水平糸、垂直糸、および斜め糸をより明確に表示し、全ての糸および／または線で図を過度に混雑させないことによって図を単純化することを単に意図している。垂直糸および／または水平糸は、経糸および緯糸などのいくつかの従来の織物またはメッシュに見られるパターンに似ているかもしれないが、垂直糸、水平糸、および斜め糸は、従来の織物またはメッシュのように織り込まれていない。むしろ、本開示を通して説明するように、垂直、水平、および斜めの敷設糸は、糸通し糸が追加されて敷設糸を所定の位置に固定および係止するまで流動性である。
【０２０５】
図１２Ｂ〜図１２Ｃは、基材１１４０の上部に取り付けられたウェブ１１０１を含むインプラント１１００を示している。ウェブ１１０１は、軸糸１１０７、螺旋糸１１２０ａ〜ｂ、垂直糸１１６０、水平糸１１６５、および斜め糸１１７０を含む。放射状糸は、全ての糸および／または線で図を過度に混雑させないことによって図を単純化するために、図１２Ｂおよび図１２Ｃには示されていない。追加の第１および第２の糸通し糸もまた存在するが、同様の理由で示されていない。しかしながら、使用され得る放射状糸および糸通し糸の両方は、本開示の他の場所に記載されている。加えて、いくつかの実施形態では、インプラント１１００および／またはウェブ１１０１は、縁取り糸および／または係留糸をさらに含んでもよい。
【０２０６】
いくつかの実施形態では、図１２Ｂ〜図１２Ｃのインプラントは、放射状糸を含んでもよい。いくつかの実施形態では、図１２Ｂ〜図１２Ｃのインプラントは、放射状糸を含まなくてもよい。
【０２０７】
図１２Ｂ〜図１２Ｃに示すように、最も内側の螺旋糸１１２０ａ（軸糸に最も近い）は、軸糸１１０７に実質的に平行な２つの対向する長辺１１２３ａを軸糸１１０７に実質的に直角な２つの対向する短辺１１２３ｂに接続して略楕円の形状を形成することができ、短辺１１２３ｂの各々において、軸糸１１０７の周りに外周縁１１１５ａ、１１１５ｂに向かってそれぞれ延在する第１および第２のＵ字形屈曲部１１２４ａ、１１２４ｂを形成する。
【０２０８】
図１２Ｂ〜図１２Ｃにさらに示すように、いくつかの実施形態では、（軸糸から最も遠い）最も外側の螺旋糸１１２０ｂは、ループの短辺に沿ったＵ字形屈曲部を含まない。そのような実施形態では、最も内側の螺旋糸１１２０ａの全体的な輪郭は、最も外側の螺旋糸１１２０ｂの全体的な輪郭と異なっていてもよい。
【０２０９】
図１２Ｃは、螺旋糸１１２０ａ〜ｂの密集度が図１２Ｂに示されるものよりも低く、特に図を明瞭にするために、および使用され得る螺旋糸のあらゆる密集度を示すために、他の全ての螺旋糸１１２０が除去されているという点で図１２Ｂとは異なる。
【０２１０】
図２Ｂの拡大図に示すような、また図１２Ｂ〜図１２Ｃのウェブ１１０１および敷設糸、すなわち軸糸、放射状糸、螺旋糸、垂直糸、水平糸、斜め糸、および／または補強糸（拡大図には示していない）にも同様に適用可能である少なくとも第１の糸通し糸および第２の糸通し糸は、互いに織り交ぜられて、敷設糸、すなわち軸糸、放射状糸、螺旋糸、水平糸、垂直糸、斜め糸、および／または補強糸（全てを図示せず）の周りに係止ステッチを形成し、敷設糸の各々を互いに対して所定の位置に保持して、ウェブ１１０１の全体構造を形成および／または維持する。
【０２１１】
図１３Ａおよび図１３Ｂは、基材１２４０に取り付けられたウェブ１２０１を含むインプラント１２００を示しており、インプラントは、軸糸１２０７、螺旋糸１２２０、補強部材またはゾーン１２９０、１２９１、垂直糸１２６０、水平糸１２６５、および斜め糸１２７０をさらに含む。放射状糸は、全ての糸および／または線で図を過度に混雑させないことによって図を単純化するために、図１３Ｂおよび図１３Ｃには示されていない。追加の第１および第２の糸通し糸もまた存在するが、同様の理由で示されていない。しかしながら、使用され得る放射状糸および糸通し糸の両方は、本開示の他の場所に記載されている。加えて、いくつかの実施形態では、インプラント１２００および／またはウェブ１２０１は、縁取り糸および／または係留糸をさらに含んでもよい。
【０２１２】
図１３Ａに示すように、補強ゾーン１２９０は、インプラント１２００の外周縁上の軸糸１２０７の周りの連続リングの形態である。しかしながら、本明細書に記載および／または図示する補強ゾーンのいずれも、インプラント１２００を形成する際にウェブ１２０１に追加するために等しく適用可能であり得ることが想定される。
【０２１３】
いくつかの実施形態では、図示するように、補強ゾーン１２９０は、軸糸１２０７の周りの螺旋糸１２２０と同様の経路をたどる複数の補強糸１２９２を含んでもよいが、螺旋糸１２０７と比較して、補強糸１２９２の密集度はウェブ１２０１の面上で著しく高くおよび／またはより高密度である。加えて、隣接する補強糸１２９２間の半径方向距離は、隣接する螺旋糸１２２０間の半径方向距離よりも著しく短い。
【０２１４】
図１３Ｂに示すように、補強ゾーン１２９１は、インプラント１２００の外周縁上の軸糸１２０７の周りに位置決めされた複数の不連続タブの形態である。しかしながら、本明細書に記載および／または図示する補強ゾーンのいずれも、インプラント１２００を形成する際にウェブ１２０１に追加するために等しく適用可能であり得ることが想定される。
【０２１５】
いくつかの実施形態では、図示するように、補強ゾーン１２９１は、軸糸１２０７の周りの放射状糸および／または螺旋糸１２２０が取る任意の経路とは異なる経路をたどる複数の補強糸１２９４を含んでもよい。いくつかの実施形態では、補強糸１２９４は、補強ゾーンを形成する際にＣＬＡに平行および／または垂直な経路をたどってもよい。
【０２１６】
図２Ｂの拡大図に示すような、また図１３Ａ〜図１３Ｃのウェブ１２０１および敷設糸、すなわち軸糸、放射状糸、螺旋糸、および／または補強糸（拡大図には示していない）にも同様に適用可能である少なくとも第１の糸通し糸および第２の糸通し糸は、互いに織り交ぜられて、敷設糸、すなわち軸糸、放射状糸、螺旋糸、垂直糸、水平糸、斜め糸、および／または補強糸（全てを図示せず）の周りに係止ステッチを形成し、敷設糸の各々を互いに対して所定の位置に保持して、ウェブ１２０１の全体構造を形成および／または維持する。
【０２１７】
図１４Ａに示すように、基材１３４０に取り付けられたウェブ１３０１を含むインプラント１３００であり、基材１３４０は、編み物、編み組物、または織り物から製造された外科用メッシュである。特定の実施形態では、基材１３４０は編みメッシュである。編みメッシュは、二次元または三次元の編みメッシュまたは両方の組み合わせであってもよい。編みメッシュは、Ｐｒｏ−Ｇｒｉｐ（登録商標）メッシュのように、少なくとも片側にスパイク付きナップを含んでもよい。
【０２１８】
図１４Ａは、基材１３４０の上部に取り付けられたウェブ１３０１を含むインプラント１３００を示している。ウェブ１３０１は、本明細書に記載する敷設糸の任意の組み合わせを含んでもよい。図示するように、いくつかの実施形態では、ウェブ１３０１は、少なくとも軸糸１３０７および螺旋糸１３２０ａ〜ｂを含んでもよい。放射状糸、垂直糸、水平糸、斜め糸、および補強糸は、全ての糸および／または線で図を過度に混雑させないことによって図を単純化するために、図１４Ａおよび図１４Ｂには示されていない。追加の第１および第２の糸通し糸が存在するが、同様の理由で示されていない。しかしながら、使用され得る放射状糸、垂直糸、水平糸、および斜め糸、糸通し糸、および補強ゾーンは、本開示の他の箇所に記載されている。加えて、いくつかの実施形態では、インプラント１３００および／またはウェブ１３０１は、縁取り糸および／または係留糸をさらに含んでもよい。
【０２１９】
いくつかの実施形態では、図１４Ａ〜図１４Ｂのインプラントは、本明細書に記載するような放射状糸を含んでもよい。いくつかの実施形態では、図１４Ａ〜図１４Ｂのインプラントは、本明細書に記載するような放射状糸を含まなくてもよい。
【０２２０】
いくつかの実施形態では、図１４Ａ〜図１４Ｂのインプラントは、本明細書に記載するような補強糸または補強ゾーンを含んでもよい。いくつかの実施形態では、図１４Ａ〜図１４Ｂのインプラントは、本明細書に記載する補強糸または補強ゾーンを含まなくてもよい。
【０２２１】
いくつかの実施形態では、図１４Ａ〜図１４Ｂのインプラントは、本明細書に記載するような垂直糸、水平糸、および斜め糸を含んでもよい。いくつかの実施形態では、図１４Ａ〜図１４Ｂのインプラントは、本明細書に記載するような垂直糸、水平糸、および斜め糸ゾーンを含まなくてもよい。
【０２２２】
図１４Ｂに示すように、基材１３４０は、基材の第１の側のスパイク付きナップ１３４５と、スパイク付きナップ１３４５の反対側の基材１３４５の第２の反対側に位置決めされているウェブ１３０１と、を含む編みメッシュである。基材の反対側に示されているが、いくつかの実施形態では、ウェブおよびスパイク付きナップは、基材の同じ側および／または両側にあり得ることが想定される。
【０２２３】
図２Ｂの拡大図に示すような、また図１４Ａ〜図１４Ｂのウェブ１３０１および敷設糸、すなわち軸糸、放射状糸、螺旋糸、垂直糸、水平糸、斜め糸、および／または補強糸（拡大図には示していない）にも同様に適用可能である少なくとも第１の糸通し糸および第２の糸通し糸は、互いに織り交ぜられて、敷設糸、すなわち軸糸、放射状糸、螺旋糸、垂直糸、水平糸、斜め糸、および／または補強糸（全てを図示せず）の周りに係止ステッチを形成し、敷設糸の各々を互いに対して所定の位置に保持して、ウェブ１３０１の全体構造を形成および／または維持する。
【０２２４】
図１５を参照すると、いくつかの実施形態では、インプラント１４００は、少なくとも１つの軸糸１４０７、放射状糸１４１０、螺旋糸１４２０、および少なくとも１つの放射状ループ１４１１を含むウェブ１４０１を含んでもよい。図示するように、いくつかの実施形態では、放射状糸１４１０は、軸糸１４０７の第１の部分１４０７ａから最も外側の螺旋糸１４２０ａを越えて延在し、最も外側の螺旋糸１４２０ａを越えて位置決めされた放射状ループ１４１１を形成する軸糸１４０７の第２の部分１４０７ｂに戻るように敷設されてもよい。放射状ループ１４１１は、ステープル、ネジ、ピン、タック、縫合糸、接着剤などのような従来の手段を介して組織にウェブを固定するのに適した最も外側の螺旋糸１４２０ａを越える区域をウェブ１４０１に提供し得る。
【０２２５】
図１５にさらに示すように、いくつかの実施形態では、軸糸、放射状糸、および螺旋糸を互いの上部に別々の層として敷設してもよく、それによって敷設糸の各々の厚さの合計に略等しい厚さを有するウェブを作成する。例えば、ウェブは、少なくとも１つの螺旋糸のみを含む第１の層、螺旋糸の上部に敷設された放射状糸のみを含む第２の層、および放射状糸の上部に敷設された軸糸のみを含む第３の層を有してもよい。軸糸、放射状糸、および螺旋糸は、任意の順序で層状化され得ることが想定される。さらに、他の実施形態では、本明細書に記載する敷設糸のいずれも、ウェブを形成するときに互いに別々に層状にされ得ることも想定される。
【０２２６】
図２Ｂの拡大図に示すような、また図１５のウェブ１４０１および敷設糸、すなわち軸糸、放射状糸、および／または螺旋糸（拡大図には示していない）にも同様に適用可能である少なくとも第１の糸通し糸および第２の糸通し糸は、互いに織り交ぜられて、敷設糸、すなわち軸糸、放射状糸、螺旋糸、垂直糸、水平糸、斜め糸、および／または補強糸（全てを図示せず）の任意の組み合わせの周りに係止ステッチを形成し、敷設糸の各々を互いに対して所定の位置に保持して、ウェブ１４０１の全体構造を形成および／または維持する。
【０２２７】
図１６は、軸糸１５０７、最も外側の螺旋糸１５２０ａを含む螺旋糸１５２０、垂直糸１５６０、水平糸１５６５、および斜め糸１５７０を含むウェブ１５０１を含むインプラント１５００を示しており、垂直糸１５６０のうちの少なくともいくつかは、最も外側の螺旋糸１５２０ａを越えて延在して垂直ループ１５６１を形成し、水平糸１５６５は、最も外側の螺旋糸１５２０ａを越えて延在して水平ループ１５６６を形成し、かつ／または斜め糸１５７０は、最も外側の螺旋糸１５２０ａを越えて延在して斜めループ１５７１を形成する。垂直ループ、水平ループ、または斜めループ１５６１、１５６５、１５７１のいずれもそれぞれ、ステープル、ネジ、ピン、タック、縫合糸、接着剤などのような従来の手段を介して組織にウェブを固定するのに適した最も外側の螺旋糸１５２０ａを越える区域をウェブ１５０１に提供し得る。
【０２２８】
いくつかの実施形態では、垂直ループ１５６１は、水平ループ１５６６および斜めループ１５７１よりも、最も外側の螺旋糸１５２０ａからより長い距離だけ延在してもよい。
【０２２９】
いくつかの実施形態では、水平ループ１５６６は、垂直ループ１５６１および斜めループ１５７１よりも、最も外側の螺旋糸１５２０ａからより長い距離だけ延在してもよい。
【０２３０】
いくつかの実施形態では、斜めループ１５７１は、垂直ループ１５６１および水平ループ１５６６よりも、最も外側の螺旋糸１５２０ａからより長い距離だけ延在していてもよい。
【０２３１】
図２Ｂの拡大図に示すような、また図１６のウェブ１５０１および敷設糸、すなわち軸糸、水平糸、垂直糸、斜め糸、および／または螺旋糸（拡大図には示していない）にも同様に適用可能である少なくとも第１の糸通し糸および第２の糸通し糸は、互いに織り交ぜられて、敷設糸、すなわち軸糸、放射状糸、螺旋糸、垂直糸、水平糸、斜め糸および／または補強糸（全てを図示せず）の任意の組み合わせの周りに係止ステッチを形成し、敷設糸の各々を互いに対して所定の位置に保持して、ウェブ１５０１の全体構造を形成および／または維持する。
【０２３２】
本インプラントおよび／または移植可能なウェブは、いくつかの例示的な実施形態および実装形態に関連して説明されているが、本インプラントおよび／または移植可能なウェブは、そのように限定されず、むしろ様々な修正および同等の構成を網羅する。
【実施例】
【０２３３】
実施例１
移植可能なウェブを本明細書に記載するＴＦＰ技術を使用して調整し、モノフィラメント放射状糸、モノフィラメント螺旋糸、およびモノフィラメント軸糸を、第１および第２のマルチフィラメント糸通し糸を織り交ぜることによって溶解性基材上に配置および固定した。モノフィラメント放射状糸およびモノフィラメント軸糸を、各々が２１０μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を３０Ｔｅｘポリエチレンテレフタレート（ＰＥＴ）から製造した。溶解性基材を不織布の水溶性ポリビニルアルコール（ＰＶＡ）から製造した。
【０２３４】
実施例２
移植可能なウェブを本明細書に記載するＴＦＰ技術を使用して調整し、モノフィラメント放射状糸、モノフィラメント螺旋糸、およびモノフィラメント軸糸を、第１および第２のマルチフィラメント糸通し糸を織り交ぜることによって溶解性基材上に配置および固定した。モノフィラメント放射状糸およびモノフィラメント軸糸を、各々が４００μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を３０Ｔｅｘポリエチレンテレフタレート（ＰＥＴ）から製造した。溶解性基材を不織布の水溶性ポリビニルアルコール（ＰＶＡ）から製造した。
【０２３５】
実施例３
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のマルチフィラメント糸通し糸を織り交ぜることによって溶解性基材上に配置および固定した。モノフィラメント水平糸、モノフィラメント垂直糸、およびモノフィラメント斜め糸を、各々が２１０μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を３０Ｔｅｘポリエチレンテレフタレート（ＰＥＴ）から製造した。溶解性基材を不織布の水溶性ポリビニルアルコール（ＰＶＡ）から製造した。
【０２３６】
実施例４
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のモノフィラメント糸通し糸を織り交ぜることによって溶解性基材上に配置および固定した。モノフィラメント水平糸、モノフィラメント垂直糸、およびモノフィラメント斜め糸を、各々が２１０μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のモノフィラメント糸通し糸を１００μｍポリプロピレン（ＰＰ）から製造した。溶解性基材を不織布の水溶性ポリビニルアルコール（ＰＶＡ）から製造した。
【０２３７】
実施例５
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のモノフィラメント糸通し糸を織り交ぜることによって溶解性基材上に配置および固定した。モノフィラメント水平糸、モノフィラメント垂直糸、およびモノフィラメント斜め糸を、各々が２１０μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を、１０８Ｄｔｅｘポリエチレンテレフタレート（ＰＥＴ）から製造した。溶解性基材を不織布の水溶性ポリビニルアルコール（ＰＶＡ）から製造した。
【０２３８】
実施例６
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のマルチフィラメント糸通し糸を織り交ぜることによって編みメッシュ上に配置および固定した。モノフィラメント水平糸、モノフィラメント垂直糸、およびモノフィラメント斜め糸を、各々が２１０μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を３０Ｔｅｘポリエチレンテレフタレート（ＰＥＴ）から製造した。編みメッシュを、吸収性モノフィラメント把持部材を織物に有する非吸収性モノフィラメント織物から製造した。
【０２３９】
実施例７
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のモノフィラメント糸通し糸を織り交ぜることによって編みメッシュ上に配置および固定した。モノフィラメント水平糸、モノフィラメント垂直糸、およびモノフィラメント斜め糸を、各々が２１０μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のモノフィラメント糸通し糸を１００μｍポリプロピレン（ＰＰ）から製造した。編みメッシュを、吸収性モノフィラメント把持部材を織物に有する非吸収性モノフィラメント織物から製造した。
【０２４０】
実施例８
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のモノフィラメント糸通し糸を織り交ぜることによって編みメッシュ上に配置および固定した。モノフィラメント水平糸、モノフィラメント垂直糸、およびモノフィラメント斜め糸を、各々が２１０μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を、１０８Ｄｔｅｘポリエチレンテレフタレート（ＰＥＴ）から製造した。編みメッシュを、吸収性モノフィラメント把持部材を織物に有する非吸収性モノフィラメント織物から製造した。
【０２４１】
実施例９
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のマルチフィラメント糸通し糸を織り交ぜることによって溶解性基材上に配置および固定した。モノフィラメント水平糸、モノフィラメント垂直糸、およびモノフィラメント斜め糸を、各々が２１０μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を、１０８Ｄｔｅｘポリエチレンテレフタレート（ＰＥＴ）から製造した。溶解性基材を不織布の水溶性ポリビニルアルコール（ＰＶＡ）から製造した。
【０２４２】
実施例１０
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のマルチフィラメント糸通し糸を織り交ぜることによって溶解性基材上に配置および固定した。モノフィラメント水平糸、モノフィラメント垂直糸、およびモノフィラメント斜め糸を、各々が４００μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を、１０８Ｄｔｅｘポリエチレンテレフタレート（ＰＥＴ）から製造した。溶解性基材を不織布の水溶性ポリビニルアルコール（ＰＶＡ）から製造した。
【０２４３】
実施例１１
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のマルチフィラメント糸通し糸を織り交ぜることによって編みメッシュ上に配置および固定した。モノフィラメント水平糸、モノフィラメント垂直糸、およびモノフィラメント斜め糸を、各々が２１０μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を、１０８Ｄｔｅｘポリエチレンテレフタレート（ＰＥＴ）から製造した。編みメッシュは、吸収性モノフィラメント把持部材を有する非吸収性モノフィラメント織物で製造された。
【０２４４】
実施例１２
移植可能なウェブを本明細書に記載するＴＦＰ技術を使用して調整して、モノフィラメント垂直糸、モノフィラメント水平糸、モノフィラメント斜め糸、およびモノフィラメント螺旋糸を、第１および第２のマルチフィラメント糸通し糸を織り交ぜることによって編みメッシュ上に配置および固定した。モノフィラメント水平糸、モノフィラメント垂直糸、およびモノフィラメント斜め糸を、各々が４００μｍの直径を有するポリテトラヒドロフランとポリブチレンテレフタレート（ＴＰＣ）とのコポリマーから製造した。モノフィラメント螺旋状糸をポリプロピレン（ＰＰ）から製造し、直径が３００μｍであった。第１および第２のマルチフィラメント糸通し糸を、１０８Ｄｔｅｘポリエチレンテレフタレート（ＰＥＴ）から製造した。編みメッシュを、吸収性モノフィラメント把持部材を有する非吸収性モノフィラメント織物から製造した。
【図１Ａ】
2020081862.tif 000003
【図１Ｂ】
2020081862.tif 000004
【図２Ａ】
2020081862.tif 000005
【図２Ｂ】
2020081862.tif 000006
【図３】
2020081862.tif 000007
【図４Ａ】
2020081862.tif 000008
【図４Ｂ】
2020081862.tif 000009
【図４Ｃ】
2020081862.tif 000010
【図４Ｄ】
2020081862.tif 000011
【図５】
2020081862.tif 000012
【図６】
2020081862.tif 000013
【図７】
2020081862.tif 000014
【図８】
2020081862.tif 000015
【図９】
2020081862.tif 000016
【図１０】
2020081862.tif 000017
【図１１】
2020081862.tif 000018
【図１２Ａ】
2020081862.tif 000019
【図１２Ｂ】
2020081862.tif 000020
【図１２Ｃ】
2020081862.tif 000021
【図１３Ａ】
2020081862.tif 000022
【図１３Ｂ】
2020081862.tif 000023
【図１４Ａ】
2020081862.tif 000024
【図１４Ｂ】
2020081862.tif 000025
【図１５】
2020081862.tif 000026
【図１６】
2020081862.tif 000027